(57)【要約】【課題】遊技領域内に入賞部と排出球通路とを好適に配置可能な遊技機を提供する。【解決手段】遊技領域２３ａの中央最下部には、可変入賞口３０３が設けられ、アウト口３０４は、可変入賞口３０３に対して左右方向にずれた位置に設けられている。また、遊技板２３ｂの前側から後方側へ向かって遊技領域２３ａを経由した遊技球が通過する複数の後方通路として、上下の作動口用通路３３１，３３２、可変入賞口用通路３３３及びアウト口用通路３３４が設けられ、これらの通路のうち最も下側に、可変入賞口用通路３３３が配置され、可変入賞口用通路３３３より高い位置に、アウト口用通路３３４が配置されている。【選択図】  図１０
2020121130.tif 000002
【特許請求の範囲】
【請求項１】
遊技球が流下する遊技領域を前面側に形成する遊技部材と、該遊技部材の後方側へ向かって前記遊技領域を経由した遊技球が通過する複数の後方通路と、を備えた遊技機において、
該複数の後方通路には、遊技球が入球した場合に賞球が払い出される入賞部へ入賞した遊技球が通過する１又は複数の入賞球通路と、
前記入賞部へ入賞することなく遊技領域外に排出される排出部を入口部分として遊技球が通過する１又は複数の排出球通路とが設けられ、
前記複数の後方通路のうち最も下側に位置する最下端の後方通路は、前記入賞球通路を構成する最下部入賞球通路とされ、
該最下部入賞球通路より高い位置に、前記１又は複数の排出球通路が配置され、
前記最下部入賞球通路に対応する最下入賞部と、当該最下入賞部へ到達したものの当該最下入賞部へ流入しなかった遊技球が流入する排出球通路とが、前記遊技部材の前面側に取り付けられる通路形成体により一体的に形成され、
前記遊技部材の前側には、遊技者が視認可能に前記遊技領域を覆う前面側が平坦な視認部と、該視認部に対して前側に突出し、該視認部を囲う外枠部とを有し、前記遊技部材の前面を開放可能に前記遊技部材に対して相対移動可能な前面側部材が設けられ、
前記最下部入賞球通路は、前記前面側部材の外枠部の後側に少なくとも一部が重なる高さ位置に配置され、
前記１又は複数の排出球通路は、遊技機正面側から前記視認部を通じて少なくとも一部が視認可能な高さ位置に配置されていることを特徴とする遊技機。
【発明の詳細な説明】
【技術分野】
【０００１】
本発明は、パチンコ機等の遊技機に関する。
【背景技術】
【０００２】
遊技機の一種であるパチンコ機には、遊技領域が前面側に形成される遊技板が設けられ、遊技板には、遊技領域に発射された遊技球が入賞可能な入賞口が複数箇所に設けられ、また、その複数の入賞口のいずれにも入賞しなかった遊技球が流入するアウト口が設けられている。遊技領域へ発射された遊技球は、遊技領域を経由した後に入賞口又はアウト口を経由して遊技板の裏面側に誘導される。遊技板の裏面側には収集経路と排出口が設けられ、遊技板の裏面側に誘導された遊技球は、収集経路によって排出口につながる経路の入口部分へ収集され、排出口からホール側の島設備へと排出される。この種のパチンコ機においては、遊技者の目に付く遊技機中央側に位置する図柄の表示装置や装飾装置等の設置領域を大型化する傾向にあり、これにより、自由なデザインを施し易くしたり、構造体の動作や表示内容に遊技者が驚嘆し易くすることができ、他の製造メーカーとは異なる独自の遊技性を提供しやすくすることができる。また、図柄の変動表示を開始させる作動口や開閉動作する可変入賞口といった遊技者に注目される領域や、アウト口は、遊技者から視認し易い位置に配置されることが好ましく、遊技盤の中央において、上から順に、装飾領域を形成するセンター役物及び表示装置、作動口、可変入賞口、アウト口と配置されることがある（例えば、特許文献１参照）。
【先行技術文献】
【特許文献】
【０００３】
【特許文献１】特開２００１−３３４０２２号公報
【発明の概要】
【発明が解決しようとする課題】
【０００４】
しかしながら、かかる配置順では、遊技球の入賞及び排出に必要な領域を確保しつつ、表示装置や装飾装置の設置領域をも確保することが難しく、遊技領域内に入賞部と排出球通路とを配置する構成について改善の余地がある可能性がある。
【０００５】
本発明は、上記例示した事情等に鑑みてなされたものであり、遊技領域内に入賞部と排出球通路とを好適に配置可能な遊技機を提供することを目的とするものである。
【課題を解決するための手段】
【０００６】
上記課題を解決すべく、請求項１記載の発明は、
遊技球が流下する遊技領域を前面側に形成する遊技部材と、該遊技部材の後方側へ向かって前記遊技領域を経由した遊技球が通過する複数の後方通路と、を備えた遊技機において、
該複数の後方通路には、遊技球が入球した場合に賞球が払い出される入賞部へ入賞した遊技球が通過する１又は複数の入賞球通路と、
前記入賞部へ入賞することなく遊技領域外に排出される排出部を入口部分として遊技球が通過する１又は複数の排出球通路とが設けられ、
前記複数の後方通路のうち最も下側に位置する最下端の後方通路は、前記入賞球通路を構成する最下部入賞球通路とされ、
該最下部入賞球通路より高い位置に、前記１又は複数の排出球通路が配置され、
前記最下部入賞球通路に対応する最下入賞部と、当該最下入賞部へ到達したものの当該最下入賞部へ流入しなかった遊技球が流入する排出球通路とが、前記遊技部材の前面側に取り付けられる通路形成体により一体的に形成され、
前記遊技部材の前側には、遊技者が視認可能に前記遊技領域を覆う前面側が平坦な視認部と、該視認部に対して前側に突出し、該視認部を囲う外枠部とを有し、前記遊技部材の前面を開放可能に前記遊技部材に対して相対移動可能な前面側部材が設けられ、
前記最下部入賞球通路は、前記前面側部材の外枠部の後側に少なくとも一部が重なる高さ位置に配置され、
前記１又は複数の排出球通路は、遊技機正面側から前記視認部を通じて少なくとも一部が視認可能な高さ位置に配置されていることを特徴とする。
【発明の効果】
【０００７】
本発明によれば、遊技領域内に入賞部と排出球通路とを好適に配置することができる。
【図面の簡単な説明】
【０００８】
【図１】パチンコ機の正面図である。
【図２】前方から見たパチンコ機の斜視図である。
【図３】パチンコ機の主要な構成を展開して示す斜視図である。
【図４】パチンコ機の主要な構成を展開して示す斜視図である。
【図５】中間ユニットの正面図である。
【図６】遊技盤の正面図である。
【図７】中間ユニットの背面図である。
【図８】裏パックユニットの背面図である。
【図９】パチンコ機の背面図である。
【図１０】遊技盤の入賞装置周辺を示す正面図である。
【図１１】前側から見た入賞装置の斜視図である。
【図１２】後側から見た入賞装置の斜視図である。
【図１３】前側から見た入賞装置の分解斜視図である。
【図１４】後側から見た前側ユニットの斜視図である。
【図１５】後側から見た前側ユニットの分解斜視図である。
【図１６】閉鎖状態を示す入賞装置の斜視図である。
【図１７】開放状態を示す入賞装置の斜視図である。
【図１８】（ａ）は、閉鎖状態を示す可変入賞口周辺部分の断面図であり、（ｂ）は開放状態を示す可変入賞口周辺部分の断面図である。
【図１９】入賞装置と前扉枠との相対位置を示す説明図である。
【発明を実施するための形態】
【０００９】
以下、本発明の実施形態として、遊技機の一種であるパチンコ遊技機（以下、「パチンコ機」という。）を詳細に説明する。図１はパチンコ機１０の正面図、図２はパチンコ機１０を前方から見た斜視図、図３及び図４はパチンコ機１０の主要な構成を展開して示す斜視図、図５は中間ユニット１３の正面図である。なお、図３及び図５では便宜上パチンコ機１０の遊技領域２３ａ内の構成を省略している。
【００１０】
パチンコ機１０は、図３に示すように、当該パチンコ機１０の外殻を形成する外枠１１と、この外枠１１に対して前方に回動可能に取り付けられた遊技機本体１２と、を有する。外枠１１は、木製の板材を上辺及び下辺とし、アルミ製の板材を左右の辺とした四辺を固定した枠状に形成される。パチンコ機１０は、外枠１１を島設備に取り付け固定することにより遊技場に設置される。なお、パチンコ機１０において外枠１１は必須の構成ではなく、外枠１１又は外枠１１と同一の内形を有し、外枠１１の遊技機本体１２支持構造及び施錠構造を有する部材が遊技場に備え付けられた構成としても良い。
【００１１】
遊技機本体１２は、図３に示すように、中間ユニット１３と、その中間ユニット１３の前方に配置される前扉枠１４と、中間ユニット１３の後方に配置される裏パックユニット１５とを備えている。遊技機本体１２のうち中間ユニット１３が外枠１１に対して回動可能に支持されている。
【００１２】
中間ユニット１３には、図３に示すように、前扉枠１４が回動可能に支持されており、正面視で左側を回動基端側（開閉基端側）とし、右側を回動先端側（開閉先端側）として前方へ回動可能とされている。また、中間ユニット１３には、図４に示すように、裏パックユニット１５が回動可能に支持されており、正面視で左側を回動基端側（開閉基端側）とし、右側を回動先端側（開閉先端側）として後方へ回動可能とされている。
【００１３】
中間ユニット１３には、図３に示すように、その回動先端部に施錠機構１６が設けられており、遊技機本体１２を外枠１１に対して開放不能に施錠状態とする機能と、前扉枠１４を中間ユニット１３に対して開放不能に施錠状態とする機能を有している。これらの各施錠状態は、図１に示すようにパチンコ機１０前面にて露出させて設けられた施錠機構１６のキーシリンダに対して、解錠キーを用いて解錠操作を行うことにより、それぞれ解除される。
【００１４】
中間ユニット１３は、図３に示すように、外形が外枠１１とほぼ同一形状をなす枠状の枠ユニット２１を主体に構成されている。枠ユニット２１は、前面側より遊技盤２３が着脱可能に取り付けられる内枠としての機能を有し、この遊技盤２３に形成される遊技領域２３ａが中間ユニット１３の前面側に露出可能に取り付けられる。遊技領域２３ａ内の様子は、図３に示すように、前扉枠１４の背面側に設けられた窓パネルユニット３０を通じてパチンコ機１０前方から視認可能となっている。
【００１５】
前扉枠１４は、中間ユニット１３の前面側に回動可能に取り付けられている。前扉枠１４の回動基端側には、図２に示すように、前扉取付金具５７，５８が設けられ、この前扉取付金具５７，５８が中間ユニット１３に係合することにより、中間ユニット１３に対して前扉枠１４が回動可能に支持される。
【００１６】
前扉枠１４は、図２及び図３に示すように、中間ユニット１３と外形がほぼ同一の長方形状に形成されている。前扉枠１４には、窓パネルユニット３０の外周縁が正面視で露出しないように窓パネルユニット３０より小さく開口形成された窓部１４ａが設けられる（図２参照）。この窓部１４ａが窓パネルユニット３０によって背面側から覆われることで、窓パネルユニット３０を取り付けた前扉枠１４によって中間ユニット１３の前面側のほぼ全域が覆われる。
【００１７】
窓パネルユニット３０は、図３に示すように、窓部１４ａより大きな外形で透明性を有する前後一対の透明ガラス３１，３２と、これら透明ガラス３１，３２を一体化する固定枠３３とを備えている。固定枠３３は、合成樹脂により透明ガラス３１，３２より一回り大きな環状に形成され、透明ガラス３１，３２の外周縁が固定枠３３に接着されることで窓パネルユニット３０は一体化された複層ガラスとされている。
【００１８】
なお、窓パネルユニット３０は、透明ガラス３１，３２によって無色透明に形成されているが、これに限定されることはなく合成樹脂によって無色透明に形成されていてもよく、パチンコ機１０前方から窓パネルユニット３０を通じて遊技領域２３ａを視認可能であれば無色透明でなく有色透明に形成されていても良い。
【００１９】
前扉枠１４において窓部１４ａの周囲には、図１に示すように、発光手段としての発光ダイオード（ＬＥＤ）等を内蔵した電飾部２４が複数設けられている。これら電飾部２４では、大当たり時や所定のリーチ時等における遊技状態の変化に応じて点灯や点滅が行われる。また、窓部１４ａの上側の電飾部２４には、払出球が不足する等の所定のエラー時に点灯するＬＥＤと、賞球払出中に点灯するＬＥＤとが内蔵されている。また、窓部１４ａの右上側及び左上側には、多数の穴が形成された金属板等により構成された音出力部２７が設けられ、音出力部２７の奥側には、遊技状態に応じた効果音などを出力するスピーカが内蔵されている。
【００２０】
前扉枠１４における窓部１４ａの下方には、図２に示すように、手前側へ膨出した上側膨出部２８と下側膨出部２９とが上下に並設されている。上側膨出部２８には上方に開口した上皿２８ａが設けられており、下側膨出部２９には同じく上方に開口した下皿２９ａが設けられている。上皿２８ａは、払出装置２２４より払い出された遊技球を一旦貯留し、一列に整列させながら遊技球発射機構１１０側へ導く機能を有している。また、下皿２９ａは、上皿２８ａ内にて余剰となった遊技球を貯留する機能を有している。なお、上皿２８ａと下皿２９ａとに分けて複数箇所に遊技球を貯留する部位を設ける必要はなく、下皿２９ａを廃止して上皿２８ａのみとした１つの貯留部のみを有する構成としても良い。
【００２１】
上側膨出部２８における上皿２８ａ（遊技球の貯留領域）の手前側には、遊技者らにより手動操作される入力装置４１が取り付けられている。入力装置４１は、図柄表示装置９４の表示画面９４ａ等にて遊技者の操作に対応した演出が行われる場合に使用される操作装置であり、押下操作や回転操作といった複数種類の操作が可能な操作部を有している。
【００２２】
下皿２９ａは、前扉枠１４の下側部分において正面視左側にずれて設置され、下皿２９ａに対して正面視右側には、略矩形の箱状に形成され、平面状の音出力部２９ｂが前面側に向けて形成されたスピーカ収容部２９ｃが設けられている。スピーカ収容部２９ｃは、下側膨出部２９の一部分として下皿２９ａに連続して形成され、スピーカ収容部２９ｃの内部には、遊技状態に応じた効果音などを出力するスピーカが収容されている。前扉枠１４においては、上部２カ所に設置された音出力部２７と、下部に設置された音出力部２９ｂとの合計３カ所から効果音などが出力される。
【００２３】
前扉枠１４における下側膨出部２９の右側には、図２に示すように、手前側へ突出するようにして発射操作装置４５が設けられている。発射操作装置４５は、遊技領域２３ａに遊技球を発射すべく操作される装置であり、図２に示すように、操作ベース４６に対して、環状の操作ハンドル４７が回転可能に軸支されてなり、遊技球の発射操作に際して操作ハンドル４７が遊技者により回転操作されるものである。この場合、操作ハンドル４７の回転操作量は、操作ベース４６に内蔵された操作量検出手段としての可変抵抗器により検出される。また、発射操作装置４５には、操作ハンドル４７を遊技者が触れていることを検知するためのタッチセンサが操作ベース４６に内蔵されるとともに、操作ハンドル４７を回転操作した状態において遊技球の発射を停止させるために操作される停止操作レバー４８が設けられている。
【００２４】
前扉枠１４の背面側には、図３に示すように、通路形成ユニット５０が取り付けられている。通路形成ユニット５０は、合成樹脂により成形されており、上皿２８ａに通じる前扉側上皿通路部５１と、下皿２９ａに通じる前扉側下皿通路部５２と、ファール球通路部５５を有している。通路形成ユニット５０の上側隅部には後方に突出し上方に開放された払出球受口部５３が形成されており、当該受口部５３が仕切壁５４によって左右に仕切られることで前扉側上皿通路部５１の通路入口と前扉側下皿通路部５２の通路入口とがそれぞれ形成されている。
【００２５】
ファール球通路部５５は、遊技球発射機構１１０から発射された遊技球のうち遊技領域２３ａまで至らなかった遊技球をファール球として下皿２９ａに排出する通路を形成する部位である。ファール球通路部５５には、図３に示すように、上方に開放されたファール球受口部５６が設けられる。このファール球受口部５６よりファール球が受け入れられ、前扉側下皿通路部５２にファール球が案内されることにより、ファール球通路部５５に入った遊技球は下皿２９ａに排出される。なお、ファール球通路部５５は、下皿２９ａでなく、上皿２８ａに接続され、ファール球が上皿２８ａに排出される構成としても良い。
【００２６】
遊技球発射機構１１０は、図３に示すように、前扉枠１４を開放した場合に前面側に露出される部品であり、中間ユニット１３の前面側右下部分に設けられている。この遊技球発射機構１１０は、図５に示すように、発射装置として設けられた電磁式の発射用ソレノイド１１１と、発射レール１１２と、球送り装置１１３とを備えている。球送り装置１１３は、上皿２８ａに貯留された遊技球を発射レール１１２上に１個ずつ供給する。この場合、この供給される遊技球は発射用ソレノイド１１１において打出し部として設けられたプランジャ１１４の突出経路上に配置される。そして、発射用ソレノイド１１１への電気的な信号の入力により、プランジャ１１４が発射レール１１２上の遊技球に向けて移動し、当該遊技球は遊技領域２３ａに向けて打出される。なお、遊技球発射機構１１０の電動アクチュエータは、発射用ソレノイド１１１に限定されることはなく、発射モータなどを用いても良い。
【００２７】
中間ユニット１３の左側であって発射レール１１２の左方には、図５に示すように、皿通路形成部材１２１が配設されている。枠ユニット２１には、皿通路形成部材１２１が設けられる部位を前後方向に貫通する貫通孔が設けられ、この貫通孔を前面側から覆うようにして皿通路形成部材１２１は、枠ユニット２１にネジ止めされている。
【００２８】
皿通路形成部材１２１は、図５に示すように、本体側上皿通路部１２２と本体側下皿通路部１２３とを有している。前扉枠１４が閉鎖状態とされた場合には、皿通路形成部材１２１の下側部分に前扉枠１４に設けられる通路形成ユニット５０の払出球受口部５３（図３参照）が入り込む。そして、本体側上皿通路部１２２の下方には前扉側上皿通路部５１が配置され、本体側下皿通路部１２３の下方には前扉側下皿通路部５２が配置される。
【００２９】
皿通路形成部材１２１の下側部分には、図５に示すように、本体側上皿通路部１２２及び本体側下皿通路部１２３からの遊技球の流出を規制するシャッタ１２４が設けられている。シャッタ１２４は、両通路の出口部分を狭め遊技球の流出を阻止する阻止位置と、遊技球の流出を許容する許容位置との両位置に切り替え可能に設けられる。また、枠ユニット２１には、シャッタ１２４を阻止位置に向けて付勢する付勢部材が取り付けられ、前扉枠１４を中間ユニット１３に対して開いた状態では付勢部材の付勢力によってシャッタ１２４が阻止位置に留まる構成となっている。これにより、本体側上皿通路部１２２又は本体側下皿通路部１２３に遊技球が貯留されている状態で前扉枠１４を開放した場合に、その貯留球がこぼれ落ちてしまうといった不都合が回避されている。これに対し、前扉枠１４を閉じた状態では、前扉枠１４の通路形成ユニット５０に設けられた払出球受口部５３の外周部分により上記付勢力に抗してシャッタ１２４が許容位置に押し戻される。この状態では、本体側上皿通路部１２２及び前扉側上皿通路部５１が連通し、本体側下皿通路部１２３及び前扉側下皿通路部５２が連通して、遊技球の流下が許容される。
【００３０】
次に、遊技領域２３ａを形成する遊技盤２３の構成を、図６に基づいて説明する。図６は遊技盤２３の正面図である。
【００３１】
遊技盤２３は、透明な合成樹脂製の板材と同板材の前側又は後側の板面を覆うシート材とを有する遊技板２３ｂを備えており、その全面が枠ユニット２１の前面側に露出している。この露出している部位、すなわち遊技盤２３の前面には、遊技球が流下する遊技領域２３ａが形成されている。上記したように遊技領域２３ａは透明ガラス３１，３２によって前面側が覆われているため、後側の透明ガラス３２によって遊技領域２３ａの前面側が区画される。また、遊技領域２３ａの背面側は遊技板２３ｂの前面によって区画される。なお、遊技板２３ｂを構成する板材は、木製の合板や一枚板で形成しても良い。
【００３２】
遊技領域２３ａは、正面視において遊技盤２３のほぼ全域に渡る上下及び左右方向の寸法に設定され、右下部分のみが右下側に突出した略円形状に形成されている。遊技領域２３ａは、その外周が誘導レール１００及び区画部材１０７により区画されている。誘導レール１００は、遊技盤２３の前面左側部分に固定される円弧状の内レール１０１と外レール１０２とからなり、これら内レール１０１と外レール１０２とにより遊技領域２３ａの左側に円弧状の誘導通路１０３を形成する。
【００３３】
誘導通路１０３の下側端部には、誘導通路１０３の入口部１０４が形成され、この入口部１０４と発射レール１１２とは離間して設けられる（図５参照）。誘導通路１０３の上側端部には、誘導通路１０３の出口部１０５が形成され、その出口部１０５には遊技領域２３ａに到達した遊技球の誘導通路１０３内への戻りを防止する戻り防止部材１０６が取り付けられている。
【００３４】
発射操作装置４５（図１参照）の操作ハンドル４７が遊技者により手動操作された場合、中間ユニット１３の右下部分に設けられた遊技球発射機構１１０（図５参照）から発射された遊技球は、誘導通路１０３を経由し、誘導通路１０３の出口部１０５において戻り防止部材１０６により閉鎖された遊技領域２３ａの入口を押し広げて遊技領域２３ａ内に進入する。遊技球の発射力が弱すぎる場合には、遊技球が遊技領域２３ａまで至らず誘導通路１０３内で落下し始め、誘導通路１０３の入口部１０４と発射レール１１２との間に落下する。前扉枠１４の閉鎖状態においては、この入口部１０４と発射レール１１２との間にファール球受口部５６が配置され、遊技領域２３ａまで至らなかった遊技球はファール球通路部５５を経由して下皿２９ａへ排出される。
【００３５】
区画部材１０７は、遊技領域２３ａの右側を区画するものであり、合成樹脂を成形して縦長に形成され、遊技板２３ｂの前面にネジ止めされている。この区画部材１０７は、外レール１０２の上側における右側端部を起点とし、内レール１０１の下側における右側端部まで延在する大きさとされている。
【００３６】
区画部材１０７の上端部には、機種名等が印字された証紙１０７ａが貼り付けられ、区画部材１０７の下端部には、メーカー名や製造番号などが印字された証紙１０７ｂを貼り付けた台座部品が固定されている。これら証紙１０７ａ，１０７ｂは、透明ガラス３１，３２を介してパチンコ機１０前方から視認可能な位置に配置される。
【００３７】
遊技板２３ｂには、ルータ加工が施されることによって前後方向に貫通する大小複数の貫通孔が形成されている。各貫通孔には、一般入賞口８１、可変入賞口３０３、上作動口３０１、下作動口３０２及びスルーゲート８４等の遊技球が入球する部位を形成する各部材が取り付けられ、また、センターフレーム８５及び主表示装置９６等が取り付けられている。
【００３８】
一般入賞口８１、可変入賞口３０３、上作動口３０１及び下作動口３０２への入球が発生すると、それが遊技盤２３の背面側等に配設された検知手段としてのセンサ（図示せず）により検知され、その検知結果に基づいて所定数の賞球の払い出しが実行される。この場合、上作動口３０１への入球が発生した場合及び下作動口３０２への入球が発生した場合には３個の賞球の払い出しが実行され、一般入賞口８１への入球が発生した場合には１０個の賞球の払い出しが実行され、可変入賞口３０３への入球が発生した場合には１５個の賞球の払い出しが実行される。但し、これら賞球の個数は任意であり、例えば上作動口３０１に係る賞球個数よりも下作動口３０２に係る賞球個数が多いといったように、両作動口３０１，３０２の賞球個数が相違しても良い。また、可変入賞口３０３に係る賞球個数が他の賞球個数に比べて多い構成に限定されることはなく、例えば一般入賞口８１に係る賞球個数と同一の構成としても良く、少ない構成としても良い。
【００３９】
遊技領域２３ａの中央部には、センターフレーム８５が設けられ、センターフレーム８５の後方には、図柄表示装置９４が配置されている。図柄表示装置９４は、表示画面９４ａにおいて絵柄の一種である図柄を変動表示（又は、可変表示若しくは切換表示）する装置であり、遊技板２３ｂの背面側に取り付けられている。センターフレーム８５は、正面視で図柄表示装置９４の表示画面９４ａを囲むように設けられ、遊技板２３ｂに前面側より取り付けられている。図柄表示装置９４の前面側であってセンターフレーム８５の後側には、ポリカーボネート等の透明な合成樹脂材料により形成された透明保護板が設けられ、図柄表示装置９４の表示画面９４ａは、その透明保護板を介して前面側から視認可能とされている。
【００４０】
遊技領域２３ａは、その中央部にセンターフレーム８５が設けられることで、センターフレーム８５の左右両側に区画され、遊技領域２３ａに発射された遊技球は、センターフレーム８５の左側または右側のいずれか一方を流下する。遊技領域２３ａには、遊技球の落下方向を適宜分散、調整等するために多数の遊技釘としての釘８７が植設され、風車等の各種部材（役物）が配設されている。
【００４１】
センターフレーム８５の下側においては、遊技領域２３ａが左右方向に連続し、センターフレーム８５を囲うように遊技球の経路が形成されている。センターフレーム８５の左右いずれを流下した遊技球もセンターフレーム８５の下側を経由し、遊技領域２３ａから排出される。
【００４２】
遊技領域２３ａの下部であって遊技盤２３の最下部に相当する位置には、アウト口３０４が設けられている。遊技領域２３ａを流下して最終的に各種入賞口等に入らなかった遊技球はアウト口３０４を通って遊技領域２３ａから排出される。アウト口３０４は、遊技領域２３ａの下側中央に対して左右両側にずれた２箇所に離間して設けられている。
【００４３】
ここで、入球とは、所定の開口部を遊技球が通過することを意味し、開口部を通過した後に遊技領域２３ａから排出される態様だけでなく、開口部を通過した後に遊技領域２３ａから排出されない態様も含まれる。但し、以下の説明では、アウト口３０４への遊技球の入球と明確に区別するために、一般入賞口８１、可変入賞口３０３、上作動口３０１、下作動口３０２又はスルーゲート８４への遊技球の入球を、入賞とも表現する。
【００４４】
上作動口３０１、下作動口３０２及び可変入賞口３０３は、センターフレーム８５に対して下側に設けられる入賞装置３００の一部として構成されている。スルーゲート８４は、センターフレーム８５に対して左側と右側にそれぞれ設けられている。
【００４５】
上作動口３０１、下作動口３０２及び可変入賞口３０３はいずれも上向きに開放されている。また、上作動口３０１が最も上方に位置し、下作動口３０２、可変入賞口３０３の順に鉛直方向に各作動口３０１，３０２及び可変入賞口３０３が並んで配置されている。
【００４６】
下作動口３０２は、通常は閉鎖状態（非サポート状態又は非ガイド状態）になっており、スルーゲート８４の遊技球の通過に基づく抽選に当選した場合に開放状態（サポート状態又はガイド状態）となる。下作動口３０２の閉鎖状態では遊技球が下作動口３０２へ入賞できず、下作動口３０２の開放状態となると下作動口３０２への入賞が可能となる。
【００４７】
可変入賞口３０３は、通常は遊技球が入賞できない閉鎖状態になっており、大当たり当選といった開閉実行モード（特別遊技状態）への移行当選となった際に、遊技球が入賞しやすい所定の開放状態に切り換えられるようになっている。可変入賞口３０３の開放態様としては、所定時間（例えば３０秒間）の経過又は所定個数（例えば１０個）の入賞を１ラウンドとし、複数ラウンド（例えば１５ラウンド）を上限として可変入賞口３０３が繰り返し開放される。
【００４８】
なお、上下の作動口３０１，３０２、可変入賞口３０３及びアウト口３０４並びにその周辺の構成詳細については、図１０以降を参照して後述する。
【００４９】
図柄表示装置９４では、上作動口３０１又は下作動口３０２への入賞に基づいて図柄の変動表示が開始される。図柄表示装置９４における変動表示は、正面視で視認可能な視認可能領域において行われ、例えば上、中及び下に並べて図柄が表示され、これらの図柄が左右方向にスクロールされるようにして変動表示されるようになっている。そして、予め設定されている有効ライン上に所定の組み合わせの図柄が停止表示された場合には、開閉実行モードが発生することとなる。この図柄表示装置９４における変動表示は、主表示装置９６のメイン表示部において行われる変動表示に合わせて行われる。
【００５０】
センターフレーム８５に対して左下側には、遊技の状態を表示する主表示装置９６が設けられる。主表示装置９６は、複数の発光部が並んで配列されてなる表示器を有する構成とされ、遊技領域２３ａの外側に相当する外レール１０２の外側に設けられ、その前面側には、例えば、左上側からメイン表示部、役物用表示部、状態表示部、保留表示部等が順に設けられる。
【００５１】
メイン表示部では、上作動口３０１又は下作動口３０２への入賞をトリガとして絵柄の変動表示が行われ、その変動表示の停止結果として、上作動口３０１又は下作動口３０２への入賞に基づいて行われた内部抽選の結果が表示によって明示される。本パチンコ機１０では、上作動口３０１への入賞と下作動口３０２への入賞とが内部抽選において区別され、上作動口３０１又は下作動口３０２のいずれの入賞に基づいて行われた内部抽選の結果であるかがメイン表示部にて明示される。そして、上作動口３０１又は下作動口３０２への入賞に基づく内部抽選の結果が開閉実行モードへの移行に対応した当選結果であった場合には、各作動口３０１，３０２における当選結果に対応した所定の停止結果が表示されて変動表示が停止し、その後に、開閉実行モードへ移行する。上作動口３０１への入賞と下作動口３０２への入賞とは、当選によって得られる特典に差異が設けられ、可変入賞口３０３の開放態様（ラウンド数や１ラウンドにおける開放時間）、時短遊技状態への移行確率等、当選後に遷移する遊技状態が入賞した作動口によって異なる場合がある設定とされ、遊技が複雑化されている。ここで、いずれかの作動口３０１，３０２への入賞に基づいて、メイン表示部及び図柄表示装置９４にて変動表示が開始され、所定の停止結果を表示し上記変動表示が停止されるまでが遊技回の１回に相当する。
【００５２】
なお、複数の作動口３０１，３０２が設けられる場合に、必ずしも作動口によって当選後に遷移する遊技状態を異ならせる必要はなく、同一の抽選条件にて抽選を実行し、同一の確率で各遊技状態へ移行する設定としても良い。また、必ずしも複数の作動口を設ける必要はなく、１の作動口のみを有する構成としても良い。
【００５３】
役物用表示部では、スルーゲート８４への入賞をトリガとして絵柄の変動表示が行われ、その変動表示の停止結果として、スルーゲート８４への入賞に基づいて行われた内部抽選の結果が表示によって明示される。スルーゲート８４への入賞に基づく抽選結果が電役開放状態への移行に対応した当選であった場合には、役物用表示部にて所定の停止結果が表示されて変動表示が停止された後に、電役開放状態へ移行する。電役開放状態では、下作動口３０２が所定の態様で開放状態となる。
【００５４】
状態表示部は、遊技状態の変化に対応した表示が行われる部位である。状態表示部では、メイン表示部にて所定の停止結果が表示されることで遊技状態が開閉実行モードへ移行した場合や、その所定の停止結果の表示後における遊技回が所定回数に到達する等して遊技状態が開閉実行モード前の通常状態に移行した場合に、その遊技状態の変化が表示によって明示される。また、状態表示部では、開閉実行モードの移行当選となった場合に可変入賞口３０３の開放態様として複数種類に設定されたラウンド数のうち移行当選となったラウンド数が表示によって明示される。
【００５５】
保留表示部は、遊技球が上作動口３０１又は下作動口３０２に入賞した個数及び遊技球がスルーゲート８４を通過した回数のうち未だ遊技が実行されていない保留状態の遊技回数を表示によってそれぞれ明示する。遊技球が上作動口３０１又は下作動口３０２に入賞した個数及び遊技球がスルーゲート８４を通過した回数はそれぞれ最大４個まで保留され、保留表示部によって各保留数がそれぞれ表示される。保留表示部の保留数に対応した情報は、図柄表示装置９４の表示画面にも表示され、保留数が数字又はキャラクタの個数などにより表示される。
【００５６】
なお、メイン表示部、役物用表示部、状態表示部及び保留表示部等は、複数の発光部が所定の態様で配列されてなる表示器により構成されているが、これに限定されることはなく、一部または全ての表示部を液晶表示装置、有機ＥＬ表示装置、ＣＲＴ、セグメント表示器又はドットマトリックス表示器等その他のタイプの表示装置によって構成しても良い。また、メイン表示部及び役物用表示部にて変動表示される態様として、絵柄としての複数種の文字が変動表示される構成、複数種の記号が変動表示される構成、複数種のキャラクタが変動表示される構成又は複数種の色が切り換え表示される構成等、他の態様としても良い。
【００５７】
次に、遊技機本体１２の背面側の構成について、図４に加え、図７から図９を参照しながら説明する。図７は中間ユニット１３の背面図、図８は裏パックユニット１５の背面図、図９はパチンコ機１０の背面図である。
【００５８】
中間ユニット１３には、図７に示すように、枠ユニット２１によって開口形成される前後に貫通した遊技盤収容部２１ａが設けられ、この遊技盤収容部２１ａを通じて中間ユニット１３の背面側には遊技盤２３の背面側に搭載される各種部品が露出されている。
【００５９】
中間ユニット１３の背面側には、図４に示すように、合成樹脂により形成された箱状の盤裏カバー１４１が設けられている。盤裏カバー１４１は、遊技盤２３の背面のほぼ全域にわたって設けられ、遊技盤２３の背面側に設けられる各種部品を、埃の進入、遊技球の衝突、或いは遊技盤２３の搬送時における周辺部分との衝突から保護すると共に、遊技球の入賞を検知するセンサ等を狙った不正を防止する機能を有している。
【００６０】
中間ユニット１３の背面側中央部には、図４に示すように、表示制御装置１４２と音声発光制御装置１４３とが左右に並んで設けられ、その下側には、遊技の主たる制御を司る主制御装置１６０が設けられている。表示制御装置１４２は、図柄表示装置９４の表示制御を司るものであり、音声発光制御装置１４３は、主制御装置１６０からの指示に従って音声やＬＥＤ、ランプ等の表示制御及び表示制御装置１４２の制御を司るものである。
【００６１】
主制御装置１６０は、図７に示すように、遊技の主たる制御を司る機能（主制御回路）と、電源を監視する機能（停電監視回路）とを有する主制御基板と、基板を収容するために設けられた透明性を有する樹脂製の基板ボックス１６３を備えている。また、主制御装置１６０には、基板ボックス１６３の開放に際して痕跡を残す痕跡手段としての開放封印部１６４が設けられている。当該開放封印部１６４は解除操作を一度行うと再結合を不可とするものであり、結果的に主制御装置１６０の基板ボックス１６３は一度開放操作を行うと、再度封印状態とすることが不可となっている。
【００６２】
主制御装置１６０の背面視左側端部には、図７に示すように、取付封印部１６５が設けられている。取付封印部１６５は、遊技板２３ｂ側に設けられる支持部材と主制御装置１６０とを固定し、主制御装置１６０の取り外しに際して痕跡を残す痕跡手段として機能する。取付封印部１６５には、最初に主制御装置１６０を取り付けるための固定部品以外に、予備用の固定部品が３組設けられ、主制御装置１６０の点検作業における一時的な取り外しや主制御装置１６０の交換が最大３回まで痕跡を残して実行可能とされている。
【００６３】
主制御装置１６０の背面視左部には、ＲＡＭ消去スイッチ１６６が設けられている。本パチンコ機１０は、各種データの記憶保持機能を有しており、万一停電が発生した際でも停電時の状態を保持し、停電からの復帰の際には停電時の状態に復帰できるようになっている。例えば遊技場の営業終了時に通常手順で電源を遮断した場合には遮断前の状態が記憶保持され、ＲＡＭ消去スイッチ１６６を押しながら電源を投入すると、ＲＡＭデータが初期化されるようになっている。
【００６４】
枠ユニット２１の背面における回動基端側（図７の右側）には、上下に離間して支持金具１３２が設けられ、各支持金具１３２の上端部において貫通穴が設けられた軸受け部１３３によって中間ユニット１３に対して裏パックユニット１５が回動可能に取り付けられる。また、枠ユニット２１の背面には、裏パックユニット１５を中間ユニット１３に固定するための固定レバー１３４が回動先端側（図７の左側）に複数設けられている。
【００６５】
次に、裏パックユニット１５について説明する。裏パックユニット１５は、図８に示すように、透明性を有する合成樹脂により形成された裏パック２０１と、払出ユニット２０２と、外部端子板２０３とを備えている。
【００６６】
裏パック２０１は、図８に示すように、裏パック２０１の周縁部を構成する裏ベース部２１１と、裏ベース部２１１の後側に開口する部分を覆うようにして形成された保護カバー部２１２とを有している。裏ベース部２１１と保護カバー部２１２とにより、裏パック２０１は、左右側面と上面の全部、背面の上部が閉鎖されて前方側が開放した収容空間を形成し、この収容空間内に遊技盤２３の背面側に搭載される各種部品として、図柄表示装置９４や制御装置１４２，１４３等を収容する。保護カバー部２１２の下側部分には、前後方向に貫通した開口部２１２ａが形成されている。なお、裏パック２０１は、枠ユニット２１と別部品で構成される必要はなく、枠ユニット２１と一体的に、例えば、樹脂により枠ユニット２１と一体成形されて前側が開口した部品の一部として裏パック２０１に相当する部分を構成しても良い。
【００６７】
外部端子板２０３は、図８に示すように、後方から見た裏パックユニット１５の右上側端部に設けられている。外部端子板２０３は、パチンコ機１０の状態を遊技場の管理コンピュータに認識させるために、所定の信号出力を行うための基板である。外部端子板２０３には、出力端子として、開閉実行モード中に信号出力するための出力端子、下作動口３０２が高頻度で開放状態となる電役開放状態中に信号出力するための出力端子、払出ユニット２０２において遊技球が不足した場合に信号出力するための出力端子、所定個数の賞球を払い出す毎に信号出力するための出力端子、所定個数の遊技球を貸し出す毎に信号出力するための出力端子、外枠１１に対する中間ユニット１３の開放時に信号出力するための出力端子、中間ユニット１３に対する前扉枠１４の開放時に信号出力するための出力端子などが設けられている。
【００６８】
裏パックユニット１５における背面視右側端部には、図８に示すように、上下一対の掛止ピン２０４が取り付けられている。この掛止ピン２０４を中間ユニット１３側の軸受け部１３３に挿通させることで、裏パックユニット１５が掛止ピン２０４を中心にして中間ユニット１３に対して回動可能に支持される。裏ベース部２１１における掛止ピン２０４が配置されていない反対側の端部には、中間ユニット１３に設けられた固定レバー１３４が挿通される挿通部２１１ａが上下に形成されている。固定レバー１３４が挿通部２１１ａに挿通されて９０度回転させた状態にすることで、固定レバー１３４の一部が裏ベース部２１１に後方から当接し、中間ユニット１３に裏パックユニット１５が固定される。また、裏パックユニット１５の前面下側における中央部にも、固定レバー１３５（図４参照）が設けられ、中間ユニット１３側に設けられる挿通部２１ｂ（図５参照）に挿通されてから回転操作することで、中間ユニット１３に対して裏パックユニット１５の下側中央部が固定される。
【００６９】
裏パックユニット１５は、上記したとおり、中間ユニット１３の背面に対して回動可能に軸支されている。裏パックユニット１５を中間ユニット１３に対して背面側から重ね合わせた状態では、図９に示すように、主制御装置１６０の大半は開口部２１２ａを介して背面側に露出し、主制御装置１６０の一部は保護カバー部２１２により覆われている。主制御装置１６０の上端部には他の制御装置と電気的に接続するためのコネクタ及び配線が設けられ、この配線に関する部位や開放封印部１６４及び取付封印部１６５の一部が保護カバー部２１２に覆われる。このため、主制御装置１６０の視認性を高めつつ、不正行為の抑制及び遊技球の衝突による破損防止等を実現している。主制御装置１６０の上側に配置される音声発光制御装置１４３等は、保護カバー部２１２により全体が覆われている。
【００７０】
裏パックユニット１５は、図８に示すように、保護カバー部２１２を迂回するようにして裏ベース部２１１に取り付けられている払出ユニット２０２を備えている。払出ユニット２０２は、裏パック２０１の最上部に設けられて遊技球を貯留可能に上方に開口したタンク２２１と、タンク２２１内の遊技球を下流側に向けて案内可能に緩やかに傾斜するタンクレール２２２と、タンクレール２２２の下流側にて上下方向に遊技球を案内するケースレール２２３と、ケースレール２２３の最下流部に設けられる払出装置２２４とを有し、これらが連結することでタンク２２１に補給された遊技球を必要数分だけ払出装置２２４の下流側に払い出し可能とされている。払出装置２２４によって払い出された遊技球は、払出装置２２４の下流側に設けられた裏側通路部２２５に供給される（図４参照）。
【００７１】
裏側通路部２２５には、払出装置２２４より払い出された遊技球を上皿２８ａ、下皿２９ａ又はタンク球排出通路の何れかに振り分けるための３つの通路が形成されている。これら通路のうち、裏パック２０１の中央側に位置する通路が上記した本体側上皿通路部１２２及び前扉側上皿通路部５１を介して上皿２８ａに通じ、その外側の通路が本体側下皿通路部１２３及び前扉側下皿通路部５２を介して下皿２９ａに通じ、更に外側の通路がタンク球排出通路とされている。払出装置２２４によって払い出された遊技球は、上皿２８ａの通路に優先して案内され、その通路が遊技球で満たされると、その通路から分岐した下皿２９ａに通じる通路に遊技球が案内される。タンク球排出通路は、ケースレール２２３の操作部２２３ａに対して排出操作を行うことにより、タンク２２１からケースレール２２３の途中までの間に貯留された遊技球が払出装置２２４を経由せずに裏パックユニット１５の下端に設けられる排出口から排出される。
【００７２】
裏ベース部２１１の背面側下端部には、図８に示すように、各種制御装置等で要する所定の電力を生成して出力する電源装置２４１と、払出制御装置２４２とが前後に重ねて取り付けられている。電源装置２４１は、裏ベース部２１１の横幅全域にわたって設けられている。裏ベース部２１１の背面視右下側端部には、電源スイッチ２４５が設けられている。パチンコ機１０へは電圧変換器を介して例えば交流２４ボルトの主電源が供給され、電源スイッチ２４５の切換操作によりパチンコ機１０の電源がＯＮ又はＯＦＦとされる。
【００７３】
払出制御装置２４２は、払出ユニット２０２を通じた遊技球の払い出しを制御するための装置である。払出制御装置２４２は、基板を収容するために設けられた透明性を有する基板ボックス２４３に払出制御基板を収容して構成されており、その開放に際しては痕跡を残す痕跡手段として開放封印部２４４が設けられている。開放封印部２４４は解除操作を一度行うと再結合を不可とするものであり、結果的に払出制御装置２４２の基板ボックス２４３は一度開放操作を行うと、再度封印状態とすることが不可となっている。
【００７４】
裏ベース部２１１の前面側すなわち中間ユニット１３側の下部には、図４に示すように、上方に開口した横長の球入口２１３と、側方に開口した球入口２１４とを上流側端部とする発射球排出通路が設けられている。遊技領域２３ａを流下しいずれかの開口を介して遊技盤２３の背面へと導かれた遊技球は、２つの球入口２１３，２１４のいずれかを経由して発射球排出通路内へ進入する。発射球排出通路の出口部分は裏パックユニット１５の下端面に遊技球１個分の幅で開口して形成され、遊技領域２３ａ内に発射された遊技球は全て発射球排出通路を経由して遊技場の島設備に排出される。発射球排出通路の途中には、遊技球を検知する検知センサが設けられ、遊技領域２３ａ内に発射された遊技球数に対応した信号が外部端子板２０３を介して出力される。
【００７５】
次に、可変入賞口３０３及びアウト口３０４並びにその周辺の構成詳細について図１０以降を主に参照して説明する。図１０は、遊技盤２３の入賞装置３００周辺を示す正面図である。なお、図１０においては、入賞装置３００の前側を覆う板状部分を省略すると共に、遊技球の通路を形成する壁部等の形状を模式的に示している。また、図１０においては、遊技球の流下方向に影響する部位と、遊技盤２３の裏面側に通じる遊技球の通路の外形は太線で示し、遊技球の流下方向にほとんど影響しない入賞装置３００の外形やネジ等は参考のために細線で示している。
【００７６】
入賞装置３００は、遊技領域２３ａの下部に配置され、遊技板２３ｂに取り付けられる装置であり、例えば、複数のネジにより入賞装置３００の前側部分が遊技板２３ｂの前面に固定されている。入賞装置３００は、上作動口３０１及び下作動口３０２を形成する上作動口用壁部３２１及び下作動口用壁部３２２と、下作動口３０２の左右両側に設けられる誘導壁部３２３と、可変入賞口３０３に関連する左右の区画壁部３２４、上側壁部３２５及び案内壁部３２６と、アウト口３０４に遊技球を誘導するアウト口用壁部３２７とを備えている。各壁部３２１〜３２７は、入賞装置３００の一部として合成樹脂により形成され、遊技板２３ｂの前面より前方側に突出して設けられ、遊技板２３ｂの前面より前側であって遊技領域２３ａを流下する遊技球に当接可能とされている。
【００７７】
上作動口用壁部３２１は、遊技球の直径より僅かに大きく上方に開口した箱状に形成され、遊技球が１球ずつ上作動口３０１に入賞可能に構成されている。上作動口３０１の高さ位置に対応して、その奥側（後側）には上作動口用通路３３１が連続し、上作動口３０１に入賞した遊技球は、上作動口用通路３３１を経由して遊技板２３ｂの背面側へ誘導される。
【００７８】
下作動口３０２は、下側を基準に左右に開放動作可能な一対の可動体３４１と、可動体３４１の下側にて固定的な壁部分を形成する下作動口用壁部３２２の一部とによって形成されている。一対の可動体３４１の上端部は、閉鎖状態において、上作動口用壁部３２１の下端部分に近接し、遊技球が下作動口３０２に入賞できない構成とされている。一対の可動体３４１は、閉鎖状態において対向する内側の内面が平面状に形成されると共に、各可動体３４１の上端部分は尖って下側ほど横幅が広がるように円弧状の外面を有する形状とされている。
【００７９】
可動体３４１の下側には、可動体３４１を回動可能に支持する軸支ピン３１２が挿通されている。一対の可動体３４１は、下側を基準に左右両側に回動可能に取り付けられ、左右両側に離間するように回動して下作動口３０２の開放状態が形成される。下作動口３０２の高さ位置に対応して、その奥側には下作動口用通路３３２が連続し、下作動口３０２に入賞した遊技球は、下作動口用通路３３２を経由して遊技板２３ｂの背面側へ誘導される。
【００８０】
下作動口３０２に対して左右両側には、下作動口３０２側に向かって下降傾斜した誘導壁部３２３が設けられている。誘導壁部３２３は、下作動口３０２と、その下側に位置する可変入賞口３０３に向けて遊技球を誘導する機能を有し、下作動口３０２及び可変入賞口３０３が開放状態とされた場合に多数の遊技球が入賞し易く構成されている。
【００８１】
入賞装置３００の外形形状は、誘導壁部３２３と可変入賞口３０３が設けられる高さ位置において左右方向に幅広く形成され、誘導壁部３２３と可変入賞口３０３との間部分における横幅は、上下の両側に比べて細幅に形成されている。このため、誘導壁部３２３と可変入賞口３０３との間部分には、遊技板２３ｂが前面側に露出され、その領域に釘８７が設置されている。かかる入賞装置３００及び釘８７の配置構成により、合成樹脂により成形されて向き調整が不能な誘導壁部３２３が上流側に位置し、誘導壁部３２３より下流側であって可変入賞口３０３に到達する手前側に釘８７を配置することができる。これにより、遊技球が可変入賞口３０３まで誘導される過程における遊技球の入賞割合を少ない数の釘８７を対象にした角度調整により設定可能とすることができる。
【００８２】
可変入賞口３０３は、下作動口３０２の下側にて上方に開口形成されている。可変入賞口３０３は、左右方向に離間して設けられる左右の区画壁部３２４の間にて上下に貫通形成された空間部分として形成され、その空間を上下方向に分断するようにして上下方向に厚みを有する板状部分を有する動作体３４２が配置されている。
【００８３】
可変入賞口３０３の下側には、遊技板２３ｂの前面側から後方へ通じる可変入賞口用通路３３３が連続している。可変入賞口用通路３３３は、手前側において大きな通路で遊技球が並んで後側に進行可能であって、奥側において左右２つの通路に区画されて後側に遊技球が１列になって通過可能な通路が連続している。各可変入賞口用通路３３３には、遊技球の通過を検知する非接触式のセンサ３１３が設けられ、遊技球の入賞が検知可能とされている。可変入賞口用通路３３３として複数の通路が設けられているので、可変入賞口３０３に入賞した遊技球が規定数に達した場合に速やかに可変入賞口３０３が閉鎖可能とされている。
【００８４】
可変入賞口用通路３３３の前側であって可変入賞口３０３に対して下側（下流側）には、内レール１０１の下端部１０１ａが位置している。内レール１０１の下端部１０１ａは、最下端部に向けて左右両側が下り傾斜する正面視円弧状に形成されると共に、後側に下降傾斜した帯板状に形成され、可変入賞口用通路３３３の中央部分が内レール１０１の最下端に相当する位置の後側に配置されている。遊技板２３ｂの前面に沿って流下して可変入賞口３０３内へ入賞した遊技球は、内レール１０１によって下側部分が支持されつつ最下端側に収集され、内レール１０１の後側傾斜部分によって可変入賞口用通路３３３側へと誘導される。
【００８５】
内レール１０１の下端部１０１ａに対して奥側には、可変入賞口用通路３３３より一回り大きな略矩形状にて下側に突出した入賞装置３００の下側部分が位置している。遊技板２３ｂの下端部には、入賞装置３００の外縁３００ａに沿った形状で、且つ、その外縁３００ａより一回り大きな貫通孔２３ｃが前後方向に貫通して設けられ、入賞装置３００の一部分は、貫通孔２３ｃに対して遊技板２３ｂの後側から挿し込まれて配置されている。
【００８６】
動作体３４２は、前後方向に移動可能に設けられており、前側に位置した状態において可変入賞口３０３の入口部分を塞いだ閉鎖状態を形成する。動作体３４２は、中央部分が最も高く、左右両端側ほど低くなるように山形に傾斜した形状とされている。可変入賞口３０３の閉鎖状態においては、動作体３４２の上面に到達した遊技球は、その上面の傾斜方向に沿って、左右のいずれか一方に誘導される。
【００８７】
動作体３４２の左右の両端部分には、パチンコ機１０及び遊技盤２３を基準とした正面視において下側に鉤状に折れ曲がって突出した動作体側壁部３４２ａが設けられている。左右の区画壁部３２４は、動作体側壁部３４２ａの下端面に対して下側に対向するように、上部より下側部分が中央側に連続する段差状に形成され、左右の区画壁部３２４によって動作体側壁部３４２ａが下側から支持される構造とされている。左右の区画壁部３２４が設けられることにより、動作体３４２が遊技板２３ｂの前面より前側にて下側が支持される構造となり、動作体３４２の上面に大きな荷重が加えられても動作体３４２に生じる曲げモーメントが小さくなって動作体３４２が破損し難く、また、動作体３４２の剛性も、単に上下方向に厚みを有する板状に形成する場合に比して高めることができる。
【００８８】
動作体３４２の上側には、可変入賞口３０３に向かって流下する遊技球に当接可能な上側壁部３２５が設けられている。上側壁部３２５は、釘８７と共に、可変入賞口３０３の上側における左右両側から可変入賞口３０３の中央側へ向かう遊技球の通路を形成する部位である。上側壁部３２５は、動作体３４２に対向する下側の外面部分が動作体３４２から遊技球１個分より僅かに大きな隙間を隔てて上方に位置すると共に左右方向に連続する天板部３２５ａと、天板部３２５ａの両端側より斜め上方側に連続する斜壁部３２５ｂとを備え、釘８７及び斜壁部３２５ｂによって可変入賞口３０３の中央側に向かう通路が形成されている。天板部３２５ａと動作体３４２との間には、可変入賞口３０３の上側において動作体３４２の上部中央側に向かう通路として上面通路３３５が形成されている。
【００８９】
上側壁部３２５の中央下側部分には、天板部３２５ａから下方に連続する縦長の障害部３２５ｃが設けられている。障害部３２５ｃは、左右方向に厚みを有する板状の壁部により形成され、動作体３４２の上面に支持された遊技球に側方から当接して遊技球の左右方向の通過を阻害する。動作体３４２と障害部３２５ｃとの上下の隙間は、遊技球が左右に通過し得ない程度に近接している。
【００９０】
障害部３２５ｃは、動作体３４２において最頂部分に相当する中央部分の上側に設けられ、動作体３４２の最頂部には、閉鎖状態において遊技球が接触しない構成とされている。動作体３４２の中央部分は、その両端側に比べて、遊技板２３ｂより前側にて下側が支持される位置から離間する。この動作体３４２の中央部分に遊技球が接触し難く構成されることにより、動作体３４２の上下方向の厚みを薄く設定しても動作体３４２の破損を防止し易くすることができる。従って、動作体３４２に対して上方に形成される、表示画面９４ａの中で遊技者が視認可能な表示領域を拡大することができる。
【００９１】
左右の区画壁部３２４に対して可変入賞口３０３が形成される中央側には、区画壁部３２４の下端部より中央側に連続する案内壁部３２６が設けられている。案内壁部３２６は、内レール１０１の内面により形成される遊技球の支持面に対して左右方向の外側において一段高い段差を有する支持面を上流側に形成する。案内壁部３２６の上面と、動作体３４２との上下方向の距離は、遊技球の直径より僅かに大きく、遊技球の直径の１．５倍より小さな略１．２倍程度に設定されている。
【００９２】
ここで、案内壁部３２６の上面と、動作体３４２との上下方向の距離が遊技球の直径の１．５倍の距離に設定されていると、動作体３４２が閉鎖状態へ移行する場合に遊技球が噛み込み易くなる。案内壁部３２６の上に２つの遊技球が上下に連なった状態となった場合、上段の遊技球の中心位置に動作体３４２が位置するためである。このため、その噛み込み易い距離とはならないように、案内壁部３２６の上面と、内レール１０１の上面との間に段差が設けられている。内レール１０１の上面と動作体３４２との上下方向の距離は、遊技球の直径の１．５倍より十分に大きな略２倍以上に設定され、この距離に設定することにより、内レール１０１の上側においても動作体３４２の動作による遊技球の噛み込みを生じ難くすることができる。
【００９３】
左右の区画壁部３２４の上面は、動作体３４２とは反対側であって可変入賞口３０３から離間する方向側に下降傾斜して形成され、動作体３４２の上面を経由して左右の区画壁部３２４の上面に到達した遊技球は可変入賞口３０３から離間するように流下する。また、動作体３４２の上面に対して、左右の区画壁部３２４の上面は、段差を形成するように一段低い高さ位置に配置され、動作体３４２の上面を経由した遊技球が動作体３４２と左右の区画壁部３２４との間の隙間部分で停止し難く構成されている。
【００９４】
左右の区画壁部３２４を基準として動作体３４２とは反対側となる両外側には、それぞれアウト口３０４が設けられている。各アウト口３０４は、隣り合って位置する各区画壁部３２４の上面より低い位置を底面として前方に開口形成されている。
【００９５】
各アウト口３０４の前側には、アウト口３０４の位置に到達した遊技球を、遊技板２３ｂの前側から後方へ誘導可能に後方側へ下降傾斜したアウト口用壁部３２７が設けられ、アウト口３０４の前側に到達した遊技球は、アウト口用壁部３２７によって後方側へ誘導され、アウト口３０４へと流入する。
【００９６】
アウト口用壁部３２７の底面には、前後方向に連続する細溝３２７ａが複数設けられている。遊技領域２３ａ内に入り込んだ埃などは溝内に落ち込んで遊技球の流路には滞在し難くすることができるので、遊技球を円滑に進行させることができる。
【００９７】
アウト口用壁部３２７を基準として隣に位置する区画壁部３２４とは反対側に相当する両外側には、遊技球をアウト口３０４へ誘導するようにアウト口３０４側に下降傾斜したアウト口外側底壁部３２８及びアウト口誘導底壁部３２９ａが連続するようにして設けられている。アウト口外側底壁部３２８は、入賞装置３００の一部分として形成され、アウト口誘導底壁部３２９ａは、入賞装置３００とは別に形成されて遊技領域２３ａの下側を装飾する装飾部材３２９の一部として形成される。装飾部材３２９には、一般入賞口８１を形成する一般入賞口用壁部３２９ｂが一体形成されている。
【００９８】
アウト口外側底壁部３２８の上面であってアウト口３０４に連続する下流端は、区画壁部３２４の上面におけるアウト口３０４に連続する下流端より低い高さ位置に設定され、動作体３４２の上面側を経由した遊技球がアウト口外側底壁部３２８の上面側を経由した遊技球より優先してアウト口３０４に誘導される構成とされている。よって、動作体３４２の上面周辺であって可変入賞口３０３の周辺において複数の遊技球が衝突し合って滞留する球詰まりを生じ難くすることができ、動作体３４２の上面に過負荷が加わる可能性を低減することができる。
【００９９】
なお、アウト口外側底壁部３２８の上面に形成される遊技球の通路には、遊技球が前後に蛇行しつつアウト口３０４側に誘導されるように縦長の突条部分が通路の前後の壁面に形成されることが好ましい。これにより、動作体３４２の上面側を経由した遊技球を一層アウト口３０４に誘導され易くすることができる。
【０１００】
アウト口３０４の後側には、遊技板２３ｂの前側から後方へ遊技球を誘導するアウト口用通路３３４が後方側へ下降傾斜して連続している。アウト口３０４に入球した遊技球は、アウト口用通路３３４を経由して遊技領域２３ａの外へ排出される。
【０１０１】
ここで、パチンコ機においては、遊技者の目に付く遊技機中央側に位置する図柄の表示装置や装飾装置等の設置領域を大型化する傾向にあり、これにより、自由なデザインを施し易くしたり、遊技者が急変する構造体の動作や表示内容に驚嘆し易くすることができ、他の製造メーカーとは異なる独自の遊技性を提供しやすくすることができる。また、作動口や可変入賞口等の遊技者に注目される領域や、アウト口は、遊技者から視認し易い位置に配置されることが好ましく、一般的には、遊技盤２３の中央には、上から順に、表示及び装飾領域、作動口、可変入賞口、アウト口と配置される場合が多い。しかしながら、かかる配置順では、遊技球の入賞及び排出に必要な領域を確保しつつ、表示装置や装飾装置の設置領域をも確保することが難しい。
【０１０２】
本実施形態においては、遊技領域２３ａの中央最下部には、可変入賞口３０３が設けられ、アウト口３０４は、可変入賞口３０３に対して左右方向にずれた位置に設けられている。よって、遊技領域２３ａの中央最下部の可変入賞口３０３の入口部分を下側に設置し易くすることができ、可変入賞口３０３の上側に、図柄表示装置９４の表示領域やセンターフレーム８５の設置領域を確保し易くすることができる。
【０１０３】
また、遊技部材としての遊技板２３ｂの前側から後方側へ向かって遊技領域２３ａを経由した遊技球が通過する複数の後方通路として、各作動口用通路３３１，３３２、可変入賞口用通路３３３及びアウト口用通路３３４が設けられ、これらの通路のうち最も下側に、可変入賞口用通路３３３が配置され、可変入賞口用通路３３３より高い位置に、アウト口用通路３３４が配置されている。すなわち、可変入賞口用通路３３３が遊技領域２３ａを通過する遊技球の排出される通路の中で最も下側に位置し、この最下部に位置する可変入賞口用通路３３３を遊技球が通過する場合には遊技者に利益をもたらされる構成とされている。このため、アウト口３０４からアウト口用通路３３４へ流入する遊技球は、可変入賞口用通路３３３より高い位置で遊技板２３ｂの後方側へ誘導されるので、いずれの入賞口８１，３０１〜３０３にも入賞しないでアウト口用通路３３４へ流入した遊技球（ハズレ球）を迅速に遊技者から視認し得ない位置に移送することができる。
【０１０４】
次に、図１１から図１５を参照して入賞装置３００の構成詳細について説明する。図１１及び図１２は、前側及び後側から見た入賞装置３００の斜視図であり、図１３は、前側から見た入賞装置３００の分解斜視図である。図１４及び図１５は、後側から見た入賞装置３００の一部に相当する前側ユニット３５１の斜視図及び分解斜視図である。
【０１０５】
入賞装置３００は、遊技板２３ｂに対して前側と後側とから取り付けられる複数のユニットを組みあわせて構成され、前側部分を構成する前側ユニット３５１と、後側部分を構成する後側ユニット３５２とを備えている。遊技板２３ｂに対しては、先に前側ユニット３５１が遊技板２３ｂに対して位置決め固定された後、後側ユニット３５２が前側ユニット３５１に対して左右及び上下方向において位置合わせされた後に遊技板２３ｂに固定される。
【０１０６】
前側ユニット３５１は、図１３に示すように、遊技板２３ｂの前面に外周部分が重なる平板状のベース部３６１ａを有するベースユニット３６１と、平板状の前カバー部３６２ａを有する前カバー３６２とを備えている。ベース部３６１ａと前カバー部３６２ａとは、遊技球の直径より僅かに大きな間隔を隔てて前後に離間して配置され、前カバー部３６２ａの後方に位置して遊技盤２３の背面側に連続する各通路３３１〜３３４内へ遊技球を適切に誘導可能に構成されている。
【０１０７】
ベースユニット３６１は、ベース部３６１ａを形成する合成樹脂製の前側ベース部材３６３と、可動体３４１と、可動体３４１を動作させる駆動手段としてのソレノイド３６４とを有している。前側ベース部材３６３の前面側には、ベース部３６１ａから前方側に突出する誘導壁部３２３と軸支ピン３１２とが一体形成され（図１３参照）、軸支ピン３１２によって可動体３４１が前側ベース部材３６３に対して前側にて回動可能に支持されている。
【０１０８】
前側ベース部材３６３の背面側には、上下の作動口３０１，３０２及びアウト口３０４に入球した遊技球を遊技板２３ｂの背面側へ誘導する誘導通路部３６５〜３６７が、上方側が開口した樋状、又は筒状にベース部３６１ａから裏面側に突出形成され、その内側に遊技球を遊技板２３ｂの背面側に誘導する各通路３３１，３３２，３３４が形成される。
【０１０９】
前カバー３６２は、前カバー部３６２ａを主体とする透明な合成樹脂製の部材であり、前側ベース部材３６３の前面にネジにより固定されてベースユニット３６１の一部を構成する。前カバー３６２の後側には、図１５に示すように、平板状の前カバー部３６２ａの裏面より後側に突出し、上面が後側に傾斜して形成された複数の壁部が一体形成されている。具体的には、上記した上作動口用壁部３２１、下作動口用壁部３２２、区画壁部３２４、上側壁部３２５、案内壁部３２６、アウト口用壁部３２７及びアウト口外側底壁部３２８が前カバー３６２の一部として形成されている。可変入賞口３０３は、左右の区画壁部３２４による左右の壁部分と、前カバー部３６２ａ及びベース部３６１ａによる前後の壁部分とによって遊技球が入球可能に上方に開口して形成される。
【０１１０】
前カバー３６２の後側における中央下部であって左右の区画壁部３２４の間部分には、入口前側突部３７１と、通路前側突部３７２と、通路分岐部前側突部３７３が設けられている。入口前側突部３７１と、通路前側突部３７２の構成については、図１８を参照して後述する。
【０１１１】
通路分岐部前側突部３７３は、入口前側突部３７１や、通路前側突部３７２より大きく後側に突出し、上作動口用壁部３２１、下作動口用壁部３２２、及び、アウト口用壁部３２７等の遊技球を後側の入口へ誘導する部分より急傾斜して形成されている。通路分岐部前側突部３７３は、可変入賞口用通路３３３を入口部分で左右方向に分断する通路区画壁３６８の前側に対向する位置に設けられ、単に、遊技球を後側へ誘導するだけでなく、可変入賞口３０３の中央部分において入賞した遊技球であって通路区画壁３６８に衝突する遊技球を高速に移送する。これにより、可変入賞口３０３に入賞した遊技球を効率良く可変入賞口用通路３３３内へ誘導し易くすることができ、１回の可変入賞口３０３の開放に対しての規定数に対する入賞球数のバラツキを低減することができる。
【０１１２】
通路区画壁３６８と通路分岐部前側突部３７３との前後方向における間部分には、遊技球の直径より大きな隙間が設けられている。通路区画壁３６８の前端部分は、可変入賞口用通路３３３の入口部分より後方側に位置し、その前端部分が尖った形状とされている。可変入賞口用通路３３３の入口部分では、２つの可変入賞口用通路３３３が左右方向において合体した１つの通路が形成され、その後側にて左右方向に分断された可変入賞口用通路３３３が形成される。これにより、通路分岐部前側突部３７３により誘導された遊技球を効率良く、２つの可変入賞口用通路３３３内へ誘導することができる。
【０１１３】
前カバー３６２の後側における下端部には、左右の区画壁部３２４の間部分に隙間Ｓが設けられている。隙間Ｓに対応する位置には、上述したように、内レール１０１の下端部１０１ａが下側に重なるように位置し、可変入賞口３０３に入賞した遊技球のほとんどは、内レール１０１の下端部１０１ａによって可変入賞口用通路３３３へ誘導される。内レール１０１を利用して遊技球を後側へ誘導する構成としているので、その誘導機能を前カバー３６２に付加する場合に比べて、可変入賞口３０３を下側に配置することができ、その上側に形成される図柄表示装置９４の表示領域等を拡大し易くすることができる。
【０１１４】
後側ユニット３５２は、遊技板２３ｂの裏面側に取り付けられ、遊技板２３ｂに設けられる貫通孔２３ｃを通じて遊技板２３ｂの前面より前側に突出する動作体３４２を前後に動作させる装置である。遊技板２３ｂの貫通孔２３ｃは、前側ユニット３５１のベース部３６１ａにより上側の大部分が覆われ、遊技領域２３ａ内に遊技板２３ｂの貫通孔２３ｃが露出しない構成とされている。
【０１１５】
後側ユニット３５２は、遊技板２３ｂの裏面側にネジ止め固定される合成樹脂製の後側ベース部材３８１と、後側ベース部材３８１によって前後方向に動作可能に支持される動作体３４２と、動作体３４２を動作させる駆動手段としてのソレノイド３８２（図１２参照）と、ソレノイド３８２の後側を覆うソレノイドカバー３８３とを備えている。
【０１１６】
動作体３４２は、上下方向に厚みを有する合成樹脂製の板部３４２ｂを前端部に有し、後側部分が後側ベース部材３８１によって前後方向に移動可能に支持されている。板部３４２ｂは、可変入賞口３０３を閉鎖する部位であり、板部３４２ｂの前端形状は、左右方向の両端側より中央側が凹んで奥側（後側）に位置する方向に傾斜した形状とされている。動作体３４２が開放状態から閉鎖状態に対応した位置に前進した場合に、遊技球が動作体３４２と前カバー３６２（前カバー部３６２ａ）との間に噛み込んだ状態となることがあるものの、板部３４２ｂの前端形状が左右方向おいて傾斜していることにより、噛み込まれた遊技球は傾斜した前端形状によって後側に相当する中央側に移動しつつ上方又は下方のいずれかに移動し易く、これにより、動作体３４２の閉鎖による噛み込みが防止されている。
【０１１７】
後側ユニット３５２の前面には、前側ユニット３５１が位置する前方に突出する位置決め部としての位置決めピン３８４が設けられている。位置決めピン３８４は、左右方向に離間した複数箇所にて前方側に突出する略円柱状に設けられている。位置決めピン３８４の配置位置に対応した位置合わせをするための部位として、前側ユニット３５１の背面には、位置決めピン３８４の先端部が挿入可能な筒状の位置合わせ部３７４が設けられ、位置合わせ部３７４内に位置決めピン３８４が嵌合して前側ユニット３５１と後側ユニット３５２との左右及び上下方向における相対位置が正確に位置合わせされる。このため、後側ユニット３５２に設けられる動作体３４２や可変入賞口用通路３３３と、前側ユニット３５１に形成される可変入賞口３０３、入口前側突部３７１、通路前側突部３７２等との相対位置が適切になり、各機能部位との相互作用による効果が確実に発揮可能とされている。
【０１１８】
後側ベース部材３８１には、後側ユニット３５２を遊技板２３ｂに固定するための固定部３８５が左右及び上下方向に離間した複数箇所に設けられている。各固定部３８５には、前後方向に貫通する貫通孔が設けられ、固定部３８５内に固定用のネジ（図示せず）が後側より挿通されて遊技板２３ｂにネジ止め固定されることにより、後側ユニット３５２が遊技板２３ｂに固定される。
【０１１９】
ソレノイド３８２は、主制御装置１６０の制御によって上記した遊技状態に対応して通電状態が制御され、動作体３４２が後側ユニット３５２の前方側に突出した閉鎖状態に対応した位置と、動作体３４２が閉鎖状態に比べて後方側に位置した開放状態に対応した位置とに移動する。このソレノイド３８２の動作に対応して、動作体３４２は、閉鎖状態において遊技板２３ｂの前面より前側に突出して可変入賞口３０３を閉鎖し、開放状態において遊技板２３ｂの前面より後側に位置して可変入賞口３０３を開放する。  
【０１２０】
ソレノイド３８２は、可変入賞口用通路３３３の後側に重なる位置に配置され、遊技領域２３ａとの相対的な高さ位置としては、遊技領域２３ａより下側にはみ出すようにして設けられている。このソレノイド３８２の配置は、後側ユニット３５２が遊技板２３ｂの後側から取り付けられ、動作体３４２が遊技板２３ｂの貫通孔を通じて遊技板２３ｂの前方側に突出する構成としていることにより実現することができ、これにより、入賞装置３００の上側のスペースを広く確保して、入賞装置３００の上側に形成される図柄表示装置９４の表示領域等を拡大し易くすることができる。
【０１２１】
なお、ソレノイド３８２は、自身の長手方向であって通電状態の切り替えにより可動部が移動する方向に沿った縦向きに取り付けられ、ソレノイド３８２の可動部は、その可動部を支持する本体部より下側に位置し、その可動部と動作体３４２との間に介在する回動部材（図示せず）の回動中心がソレノイド３８２の本体部より下側であって後方側に位置させることが好ましい。これにより、ソレノイド３８２の上下方向の長さを利用して、回動部材の回動量に対する上端部分における前後の移動量を拡大し、回動部材とソレノイド３８２とを有する後側ユニット３５２を小型に形成しつつ、動作体３４２の前後移動量を十分に確保することができる。
【０１２２】
次に、図１６及び図１７を参照して、入賞装置３００に設けられる下作動口３０２及び可変入賞口３０３の動作について説明する。図１６及び図１７は、入賞装置３００の前側部分の斜視図であり、図１６は、下作動口３０２及び可変入賞口３０３の閉鎖状態を示し、図１７は、下作動口３０２及び可変入賞口３０３の開放状態を示している。なお、図１６及び図１７においては、前側ユニット３５１の前側部分を切除し、入賞装置３００の主要な構成のみを示すと共に一部分を拡大視して示し、可変入賞口３０３の入口付近に遊技球を太い実線で図示し、内レール１０１の下部を一点鎖線で模式的に示している。また、図１７においては、動作体３４２（板部３４２ｂ）の先端部分のみを破線にて模式的に示している。
【０１２３】
下作動口３０２及び可変入賞口３０３は、図１６に示すように、閉鎖状態において入口部分に遊技球が通過できる隙間が形成されず、遊技球が入賞不能となっている。上作動口３０１の左右両側を経由した遊技球や、誘導壁部３２３によって傾斜に沿って下側に誘導された遊技球は、下作動口３０２の入口側へ進行する。下作動口３０２の入口部分に到達した遊技球は、閉鎖状態の可動体３４１の外面に衝突し、下作動口３０２の底面側に位置する上側壁部３２５の左右いずれかに相当する側方側を経由して下方へ流下する。
【０１２４】
下作動口３０２の側方側を経由した遊技球やアウト口３０４の上方から釘８７等によって下作動口３０２側へ誘導された遊技球は、可変入賞口３０３の位置する側へ進行する。可変入賞口３０３の入口部分に到達した遊技球は、閉鎖状態の動作体３４２（板部３４２ｂ）の上面に接触して支持され、当該上面の傾斜方向に沿って、左右のいずれかへ誘導される。動作体３４２（板部３４２ｂ）の上面によって誘導された遊技球は、区画壁部３２４とアウト口用壁部３２７の上側を経由してアウト口３０４へ誘導される。
【０１２５】
下作動口３０２が開放状態となると、図１７に示すように、下作動口３０２の入口部分が左右の斜め上方側に開口し、遊技球が下作動口３０２内に通過可能な隙間が形成される。下作動口３０２の入口部分に到達した遊技球は、可動体３４１の内面に誘導されて下作動口３０２の奥側へと進行し、下作動口３０２へ入賞する。
【０１２６】
可変入賞口３０３が開放状態となると、可変入賞口３０３の入口部分が上方側に開口し、遊技球が通過可能な隙間が形成される。可変入賞口３０３の入口部分に到達した遊技球は、左右の区画壁部３２４の間に進行し、可変入賞口３０３へ入賞する。
【０１２７】
ここで、遊技盤２３の中央下部は、遊技領域２３ａの最下流部に相当し、遊技領域２３ａへ発射された遊技球の多くが誘導される。その位置には、一般的にはアウト口が位置し、いずれの入賞口にも入賞しなかった多数の遊技球がアウト口へと誘導される。
【０１２８】
本実施形態においては、遊技盤２３の中央下部に可変入賞口３０３が位置し、その可変入賞口３０３が動作体３４２によって常には閉鎖状態とされている。遊技領域２３ａを流下する多数の遊技球は、可変入賞口３０３へ誘導されるように釘８７や壁部３２３，３２５等が配置され、可変入賞口３０３の開放状態において遊技者が遊技球を容易に入賞可能に構成される。このため、閉鎖状態においては、動作体３４２に向かって多数の遊技球が進行し、動作体３４２に多数の遊技球が衝突することとなる。また、遊技球が可変入賞口３０３の下流側に相当するアウト口３０４付近で球詰まりすると、滞留した多数の遊技球が動作体３４２の上面に支持された状態が生じ得る。すなわち、前後方向に動作する動作体３４２に対しては、遊技球による繰り返しの衝撃や、相当な荷重が加えられる可能性が高く、かかる衝撃や荷重に耐え得る構造とする必要がある。
【０１２９】
本実施形態の入賞装置３００には、動作体３４２の左右両端部分における左右の区画壁部３２４による動作体３４２の前側部分の支持構造が設けられている。動作体３４２の支持構造としては、上記したように、動作体３４２と、動作体３４２を動作させるソレノイド３８２と、動作体３４２を前後に移動可能に支持する後側ベース部材３８１とを有する後側ユニット３５２が遊技板２３ｂに対して後側より取り付けられ、遊技板２３ｂには、後側より動作体３４２を挿通可能な貫通孔２３ｃが設けられている。また、遊技板２３ｂの前側には、動作体３４２が閉鎖状態に対応する位置に配置された場合に遊技板２３ｂの前面より前側にて、動作体３４２の下側を支持する区画壁部３２４が設けられている。
【０１３０】
かかる動作体３４２の支持構造によれば、動作体３４２を、遊技板２３ｂの貫通孔２３ｃを通じて遊技領域２３ａに突出するように配置し、動作体３４２の動作に必要なソレノイド３８２は、遊技板２３ｂの後側に重なるように取り付けることができる。このため、遊技板２３ｂの前面側における動作体３４２の設置スペースを上下に短く設定し易く、可変入賞口３０３に対して上側には下作動口３０２を近接して配置することができ、下側には可変入賞口用通路３３３を近づけて配置し易くする等して、可変入賞口３０３の周辺に他の部品の設置スペースを広く設定し易くすることができる。よって、遊技球の流下領域や、遊技板２３ｂの前面において釘８７を打ち込み可能な領域、図柄表示装置９４の表示領域、センターフレーム８５の装飾としての枠部分といった機能部品等を配置し易くすることができる。
【０１３１】
また、動作体３４２が閉鎖状態に対応する位置に配置された場合には、左右の区画壁部３２４によって動作体３４２の板部３４２ｂが下側から支持される。よって、動作体３４２の板部３４２ｂの上側に大きな負荷が加わった場合であっても、動作体３４２に生じる曲げやねじり応力を低く抑えて動作体３４２の破損を防止することができる。
【０１３２】
特に、可変入賞口用通路３３３が、いずれのアウト口用通路３３４よりも下側に設置される構成により、動作体３４２がアウト口３０４へ向かう遊技球の通路を形成することとなり、多数の遊技球が連なった状態で動作体３４２の上側に滞留する可能性があるものの、動作体３４２の下側が支えられる構造とすることによって遊技球の滞留等による動作体３４２及び後側ベース部材３８１等に生じる曲げやねじり応力を低く抑えることができるので、各部材の破損を防止することができる。
【０１３３】
更に、動作体３４２は、左右方向に連続して形成され、上方から流下する遊技球が当接する板部３４２ｂと、板部３４２ｂの左右方向における端部より下側に連続する動作体側壁部３４２ａとを有し、左右の区画壁部３２４は、動作体側壁部３４２ａに対して可変入賞口３０３の外側に位置して動作体側壁部３４２ａに対向する側面対向部３２４ａと、側面対向部３２４ａより下側にて前記入賞部の内側に連続し、前記側面部の下側に突出して形成された前側支持部３２４ｂとを有している。かかる構成によれば、動作体側壁部３４２ａの外側と下側のそれぞれに区画壁部３２４の側面対向部３２４ａと前側支持部３２４ｂとが位置し、動作体側壁部３４２ａの外側と下側への移動が制限される。このため、動作体３４２の板部３４２ｂの下側が支えられる構造であって、且つ、動作体３４２の左右方向における中央側部分が下側に変形することを側面対向部３２４ａによって阻止することができるので、遊技球の滞留が生じても動作体３４２の変形を抑えて既定の位置に動作体３４２の各部位を適切に配置することができる。
【０１３４】
また、動作体３４２の上側には、閉鎖状態における動作体３４２の板部３４２ｂの上面中央部分に遊技球が接触し得ないようにする手段として障害部３２５ｃが設けられている。このため、動作体３４２の板部３４２ｂにおいて、区画壁部３２４から下側が支持された位置から最も遠い箇所には、遊技球が当接することがないので、動作体３４２へ加えられる曲げ力を低く抑えることができ、動作体３４２の破損を防止することができる。
【０１３５】
また、動作体３４２の板部３４２ｂの上側における中央寄りの一部分には、動作体３４２の板部３４２ｂと上側壁部３２５（天板部３２５ａ）の底面との間に、遊技球が１個以上入り込み可能な上面通路３３５が形成されている。可変入賞口３０３の閉鎖状態において、動作体３４２の板部３４２ｂの中央側に向かう勢いを有して板部３４２ｂに衝突した遊技球は、板部３４２ｂの中央側に向かって上面通路３３５内へ進行した後、動作体３４２の板部３４２ｂの下り傾斜に沿うように折り返して板部３４２ｂの端側へと移動する。この遊技球の挙動により、動作体３４２が一時的な閉鎖状態を経て開放状態となる場合、閉鎖状態において板部３４２ｂの上面に遊技球が滞留し易く、また、複数の遊技球が動作体３４２の上面に載置された状態となり易くなるので、その後の開放状態において遊技球が即座に可変入賞口３０３へ入賞し易くなる。このため、可変入賞口３０３の開閉が繰り返される状況においてアウト口３０４へ誘導される遊技球数を少なくすることができ、特別遊技状態において可変入賞口３０３へ効率良く遊技球を入賞させることができる。
【０１３６】
なお、動作体３４２の板部３４２ｂの上面は、上り方向側に遊技球が進行可能であって下り方向側に遊技球が蛇行して流下するように構成されることが好ましい。例えば、動作体３４２の板部３４２ｂの上面に遊技球の半径より十分に小さい深さが１ｍｍ以下の浅い溝を、平面視において蛇行して左右方向に連続するように形成し、遊技球が板部３４２ｂの上面を前後に移動しつつアウト口３０４側へ流下するようにしても良い。これにより、可変入賞口３０３へ一層効率良く遊技球を入賞させることができる。
【０１３７】
また、上面通路３３５は、遊技球が積み上げられることのない遊技球の直径の１．５倍以下の高さ幅に設定されることが好ましい。本実施形態における上面通路３３５の高さ幅は、遊技球の直径に対して１．２倍以下の僅かに大きな高さ幅に設定されている。このため、可変入賞口３０３の上側に上下の作動口３０１，３０２を近づけて配置し、他の部品の設置スペースを広く設定し易くすることができる。また、区画壁部３２４から下側が支持された位置から離れた箇所へは、遊技球が重なった状態で載置される状況を発生し得なくして、動作体３４２の破損をより確実に防止することができる。
【０１３８】
可変入賞口３０３の入口部分に遊技球を誘導する球誘導部材としての釘８７や上側壁部３２５は、板部３４２ｂの左右両側から中央側への移動成分を有して遊技球が進行するように設置されている。具体的には、釘８７の間に形成される遊技球の通路（下流側部分の２本の釘８７の間に形成される通路の向き）が板部３４２ｂの上面の上流側（すなわち板部３４２ｂの中央側）を向くように釘８７が設置されている。また、複数の釘８７及び上側壁部３２５等により形成される遊技球の通路としての壁面が板部３４２ｂの上面の上流側（すなわち板部３４２ｂの中央側）を向くように、釘８７が設置されると共に、上側壁部３２５が形成されている（図１０参照）。このため、板部３４２ｂの上流側へ向けて遊技球が移動し易くなるので、板部３４２ｂの上面に遊技球が滞留し易くすることができ、可変入賞口３０３へ効率良く遊技球を入賞させることができる。また、板部３４２ｂの上側であって中央側に相当する板部３４２ｂの最頂部に対応する位置に障害部３２５ｃが設けられることも遊技球の滞留を生じさせる上で好ましく、これにより、板部３４２ｂの上面を勢い良く遊技球が通過して反対側のアウト口３０４へ遊技球が誘導されてしまう状況を回避することができる。
【０１３９】
次に、図１８（ａ）及び図１８（ｂ）を参照して、動作体３４２の動作による遊技球の噛み込みを防止する構成について説明する。図１８（ａ）及び図１８（ｂ）は、右側から見た入賞装置３００の可変入賞口３０３周辺部分を模式的に示した断面図であり、図１８（ａ）は、可変入賞口３０３の開放状態を示し、図１８（ｂ）は、可変入賞口３０３の閉鎖状態を示している。なお、図１８（ａ）及び図１８（ｂ）においては、参考のため、遊技板２３ｂの前面位置を一点鎖線で示すと共に、遊技球を併せて示している。
【０１４０】
前カバー３６２の背面側には、図１８（ａ）及び図１８（ｂ）に示すように、後側に突出して形成された入口前側突部３７１が設けられている。入口前側突部３７１は、断面略三角形状で先端部分が尖った形状をなし、平面状の前カバー部３６２ａの背面に対して遊技球の直径より十分に小さい略１ｍｍの高さにて突出している。
【０１４１】
入口前側突部３７１は、動作体３４２の前端に対向する位置に設けられ、具体的には、動作体３４２の前端における先端部分と略同一の高さ位置に形成されている。また、動作体３４２が左右方向における中央部分が高く、左右両側部分が低くなるように傾斜している分、入口前側突部３７１も、動作体３４２において最も高い位置に相当する略中央部分が高く、左右両側部分が低くなるように左右方向において傾斜して連続している（図１５参照）。
【０１４２】
動作体３４２が開放状態から閉鎖状態に切り替えられる場合には、動作体３４２が前カバー３６２に近づくように後側から前側に移動する。このとき、遊技球が動作体３４２の前端と前カバー３６２との間に挟まってしまう場合が生じうる。かかる場合に、前カバー３６２の背面側には、入口前側突部３７１が左右方向に連続して設けられているので、動作体３４２の前端と前カバー３６２の入口前側突部３７１との間に挟まれた遊技球は、入口前側突部３７１に衝突して上側又は下側のいずれかに押し出される。
【０１４３】
動作体３４２に対して上側に遊技球が移動した場合には、図１８（ａ）示すように、動作体３４２の上面より上側に遊技球が移動し、動作体３４２の上面の傾斜に従ってアウト口３０４側へと誘導される。動作体３４２に対して下側に遊技球が移動した場合には、可変入賞口３０３への入賞となって可変入賞口用通路３３３へと誘導される。
【０１４４】
ここで、動作体３４２の前端に対して、入口前側突部３７１が略同一の高さ位置に設けられ、対向する先端部分が尖って形成されているので、球形状をした遊技球表面に動作体３４２又は入口前側突部３７１が接触した際に上方又は下方のいずれかに遊技球が移動し易い。このため、動作体３４２と入口前側突部３７１との間に遊技球が挟まれる状況が生じ難く、遊技球の挟み込み防止の機能をより確実に発揮させることができる。また、動作体３４２の前端が左右方向において高さ位置が変化し、更には、動作体３４２の前端が前後方向において中央側が後側に位置するように傾斜していることにより、動作体３４２と入口前側突部３７１との間に挟まれた遊技球には、動作体３４２の前端の傾斜方向に沿った斜め方向の力が作用し易く、挟み込み防止の機能を一層発揮させることができる。
【０１４５】
前カバー３６２の背面下部には、図１８（ｂ）に示すように、可変入賞口用通路３３３の高さ位置にて後側に突出して形成された通路前側突部３７２が設けられている。通路前側突部３７２は、可変入賞口３０３に入賞して下方に落下する遊技球を可変入賞口用通路３３３の位置する後側へ誘導するための部位である。
【０１４６】
通路前側突部３７２は、後側に向けて斜め下側に下り傾斜した上面形状をなしている。通路前側突部３７２の高さは、平面状の前カバー部３６２ａの背面に対して遊技球の直径より十分に小さい略３ｍｍの高さにて突出している。通路前側突部３７２の高さは、通路前側突部３７２より上方に設けられる入口前側突部３７１より大きく後側に突出し、入口前側突部３７１に接触した遊技球でも通路前側突部３７２に接触可能に構成されている。
【０１４７】
可変入賞口３０３の入口部分には、閉鎖状態の動作体３４２の上側に重なって入口後側突部３６３ａが設けられている。入口後側突部３６３ａは、前側ベース部材３６３の前面の一部として形成され、遊技板２３ｂの前面に相当する前後位置より前方に突出し、前側ベース部材３６３において前後方向に厚みを有して遊技球の通路を形成する平板状の部位よりも前方に突出している。
【０１４８】
可変入賞口３０３に入賞する遊技球のうち前側ベース部材３６３の前面に沿うようにして後側から流下する一部の遊技球は、入口後側突部３６３ａにより前カバー３６２側に誘導されることとなる。このため、入口後側突部３６３ａよりも下側に位置する通路前側突部３７２に対して、遊技球の前側部分が衝突し易くなっている。入口後側突部３６３ａの前端と、通路前側突部３７２の後端との前後方向における距離は、遊技球の直径より短く設定され、これにより、遊技球が通路前側突部３７２に衝突して可変入賞口用通路３３３側へ誘導され易く構成されている。
【０１４９】
入口後側突部３６３ａは、動作体３４２が位置する動作体３４２の収容空間の入口外周部分における上側にて前方に突出している。また、入口後側突部３６３ａは、左右方向において動作体３４２の位置する全範囲に跨がって前方に突出し（図１６参照）、開放状態における動作体３４２の収容空間側に向かっては遊技球が進行し難く構成されている。このため、動作体３４２の前端部分や、動作体３４２の収容空間の入口外周部分の下側には遊技球が衝突し難くなり、一旦、遊技球が可変入賞口３０３へ入賞した場合、動作体３４２の周辺に対しては遊技球が衝突せずに円滑に遊技球が流下する。
【０１５０】
ここで、本実施形態において、可変入賞口用通路３３３には、内レール１０１の下端部１０１ａによって遊技球が誘導される。内レール１０１は、遊技領域内の部品配置を変更した他機種においても使用可能な部材であり、内レール１０１の下端部１０１ａは、当該部分の後側に一般的に設けられるアウト口に遊技球を誘導するのに適した形状とされ、後側に緩やかに傾斜した上面形状とされている。アウト口への遊技球の誘導は、それほど高速に誘導する必要がなく、内レール１０１の下端部分によって左右にゆらゆらと遊技球が転動しながらアウト口内へと遊技球が誘導される。
【０１５１】
一方、可変入賞口３０３内では、内レール１０１の下端部１０１ａより下流側に位置するセンサ３１３によって可変入賞口３０３への遊技球の入賞が検出され、この検出タイミングに対応して可変入賞口３０３が閉鎖される。このため、可変入賞口用通路３３３へは遊技球を高速に誘導する方が好ましく、通路前側突部３７２が設けられることによって、内レール１０１の他機種への汎用性を維持しつつ、可変入賞口３０３内で遊技球が滞留し難く、円滑な遊技球の排出を実現することができる。また、入口後側突部３６３ａが設けられることにより、通路前側突部３７２の機能を更に確実に発揮させることができる。
【０１５２】
次に、図１９を参照して、前扉枠１４と入賞装置３００との相対位置について説明する。図１９は、前扉枠１４の窓部１４ａと入賞装置３００との相対位置を示す説明図である。なお、図１９においては、入賞装置３００を模式的に示すと共に、入賞装置３００に対する前扉枠１４の窓部１４ａの下端部における外形を一点鎖線で示している。
【０１５３】
入賞装置３００は、前扉枠１４に設けられる窓部１４ａを通じて、パチンコ機１０の前面側から遊技者によって視認され、図１９に示すように、前扉枠１４において窓部１４ａの外側を囲う外形線（図１９の一点鎖線）に対して、一部が上側に位置し、一部が下側に位置する高さに配置される。窓部１４ａに対して奥側には、２枚の透明ガラス３１，３２を有する前面側が平坦な窓パネルユニット３０が位置し、遊技者が視認可能に遊技領域２３ａを覆う前面側が平坦な視認部３０ａが窓部１４ａの内側に位置している。前扉枠１４の電飾部２４は、視認部３０ａに対して前側に突出し、視認部３０ａを囲う枠部としての機能を有する。前扉枠１４は、遊技盤２３の前面を開放可能に遊技盤２３に対して相対移動可能な部材である。
【０１５４】
入賞装置３００は、図１９の一点鎖線より上側の領域が遊技者から視認可能であり、前カバー３６２が透光性を有する合成樹脂により形成されているので、その奥側に位置する上下の作動口用通路３３１，３３２等は遊技者から視認可能に構成されている。図１９の一点鎖線より下側の領域については、前扉枠１４の枠部（電飾部２４）によって遊技者から視認不能とされる。可変入賞口用通路３３３は、前扉枠１４の枠部に対して後側に重なる高さ位置に配置され、アウト口３０４及びアウト口用通路３３４は、前扉枠１４の枠部に対して上側に外れた位置、すなわち、視認部３０ａに重なる位置に配置されている。このため、可変入賞口用通路３３３を通過する遊技球は、遊技者から少なくとも一部が視認不能であり、アウト口用通路３３４を通過する遊技球は、遊技者から完全に視認可能となる。
【０１５５】
このように、可変入賞口用通路３３３は視認部３０ａに対して下側にずれて配置され、枠部（電飾部２４）に重なる位置に配置されているので、視認部３０ａの後側に重なるスペースに、可変入賞口用通路３３３の下側部分に相当する領域を設定する必要がない。このため、遊技球の流下する領域や図柄表示装置９４等の設置領域を確保し易くすることができる。また、前扉枠１４の視認部３０ａの下側に相当する枠部の上端部分を比較的高く設定し易くなり、前扉枠１４の視認部３０ａの下側に設けられる機能部品として、遊技球の貯留部（上皿２８ａ及び下皿２９ａ）、発射操作装置４５、選択操作部としての入力装置４１、装飾部としての電飾部２４等を比較的大きなサイズで配置し易くすることができる。
【０１５６】
ここで、可変入賞口３０３の内部又はその周辺部分を発光させる場合には、入賞装置３００に発光体としてのＬＥＤ等を有する基板を設置し、可変入賞口用通路３３３を形成する壁部分を透明又は半透明の透光性材料により形成して、通路の外部から通路内に光を照射する構成としても良いが、この場合には、可変入賞口３０３より前側から光を照射することができないので、見栄え良く可変入賞口３０３の内部等を発光させられない可能性が生じ得る。この場合、視認部３０ａの下側に位置する前扉枠１４の枠部（電飾部２４）に設けられる発光体が後方側又は後方斜め上側に向けて光を照射するように、ＬＥＤを後ろ向きに設置したり、又は、前面側に向かって照射される光の一部を導光又は反射させて後方側に向かって発光体が光を照射する構成としても良い。これにより、可変入賞口３０３に対して前方側から光を照射して可変入賞口３０３の内部及びその周辺部分を十分に発光させることができる。特に、可変入賞口用通路３３３への遊技球の誘導を、他機種と部品を共用する内レール１０１（誘導レール１００）により実施する場合には、可変入賞口３０３の下側に発光体を設置することが難しく、この場合において前扉枠１４の枠部（電飾部２４）の発光体を利用して可変入賞口３０３の内部又はその周辺部分を発光させる構成により部品点数の増加を抑制しつつ、可変入賞口３０３に入賞した遊技球を遊技者から視認し易くすることができて好ましい。
【０１５７】
なお、本発明は、上記実施形態に限られることはなく、例えば、以下に記載するように変形して実施しても良い。この場合に、以下に記載する各構成を上記実施形態に対して適用しても良く、以下に記載する複数の構成を組み合わせて上記実施形態に対して適用しても良い。
【０１５８】
上記実施形態における上下の作動口３０１，３０２、可変入賞口３０３及びアウト口３０４の配置位置及び数は、必ずしも上記実施形態における構成とする必要はない。例えば、アウト口３０４が左右２箇所でなく、いずれか一方側にのみ設けられ、可変入賞口３０３を開閉する動作体３４２の板部がアウト口３０４の位置する一方側に向かって下降傾斜する構成としても良い。かかる場合には、前扉枠１４の視認部３０ａの下端付近であって視認部３０ａの後側に重なる位置に可変入賞口３０３の入口に相当する動作体３４２を配置することが好ましく、一方側に下降傾斜した動作体３４２の板部の傾斜角度に沿って前扉枠１４の視認部の外形形状及び枠部の内形形状を傾斜した形状に設定することが好ましい。これにより、前扉枠１４の視認部３０ａの下側に機能部品を比較的大きなサイズで配置し易くすることができる。
【０１５９】
動作体３４２の下流側部分を含む少なくとも一部は、アウト口３０４の開口上端より下側の高さ位置に配置しても良く、これにより、可変入賞口３０３を、遊技領域２３ａ内において比較的下側に配置することができるために好ましく、この場合に、アウト口３０４の開口における中央よりも下側の高さ位置に動作体３４２の下流側部分を含む少なくとも一部を設置することが好適であり、更には、動作体３４２の全体をアウト口３０４の開口上端又は当該開口における中央より下側の高さ位置に配置することが好適である。
【０１６０】
動作体３４２は、必ずしも視認部３０ａの後側に重なる位置に配置する必要はなく、前扉枠１４の窓部１４ａに一致した高さ位置に設置しても良いし、動作体３４２の上面に載置された遊技球が視認部３０ａの後側に重なる程度に、すなわち、遊技球の直径より小さな距離分だけ前扉枠１４の窓部１４ａの外形より下側に動作体３４２が位置するように、動作体３４２が前扉枠１４の枠部の後側に重なるようにしても良い。この場合であっても、可変入賞口３０３への入賞は、遊技球が下方に移動することにより遊技者から視認可能とすることができる。
【０１６１】
可変入賞口３０３は、必ずしも遊技板２３ｂの後方側に向かって遊技球が誘導されるようにしてパチンコ機１０から排出される構成とする必要はなく、遊技領域２３ａの下側から下方へ向かって排出される構成としても良い。例えば、内レール１０１を部分的に分断し、遊技領域２３ａの下方へ向かって遊技球が遊技領域２３ａから排出されるようにしても良い。この場合であっても、可変入賞口３０３の入口部分をアウト口３０４より僅かに高い位置に設置し、可変入賞口３０３内に入った後の遊技球の流下する空間は、アウト口３０４よりも下側に位置させることにより、遊技領域２３ａ内に図柄表示装置９４の表示領域等を設置し易くすることができる。かかる場合であっても、前扉枠１４の視認部３０ａの下端付近であって視認部３０ａの後側に重なる位置に可変入賞口３０３の入口に相当する動作体３４２を配置することが好ましい。
【０１６２】
上記実施形態における上下の作動口３０１，３０２、可変入賞口３０３及びアウト口３０４のうち少なくとも一部は、必ずしも入賞装置３００によって一体化された構成とする必要はなく、別部品として遊技板２３ｂに取り付けられる構成としても良い。また、下作動口３０２及び可変入賞口３０３の少なくとも一方は、必ずしも閉鎖状態において遊技球が入賞できない構成とする必要はなく、開放状態に比べて閉鎖状態の方が入口の開放量が少なく入賞し難いものの遊技球が入賞可能に構成されても良い。
【０１６３】
可変入賞口用通路３３３は、遊技者に正面側から完全に視認可能となるように、視認部３０ａの後側に全体が重なる位置に配置しても良い。この場合には、遊技者に対して遊技球の流下を一番下側の可変入賞口用通路３３３に達するところまで長期間にわたって視認させることができ、大きさに制限のある遊技領域２３ａにおいて遊技球の挙動する区間を長く設定し易くすることができる。
【０１６４】
動作体３４２の前側に相当する板部３４２ｂの下側に重なるように、遊技板２３ｂの前面より前側に入賞検知部としてのセンサを設置しても良い。可変入賞口３０３への遊技球の流入を早い段階で検知することができるので、予め設定した入賞数に対応した遊技球が可変入賞口３０３へ入賞したタイミングで迅速に入賞し易さを切り替えることができる。また、前扉枠１４の枠部により可変入賞口３０３への入賞を検知する検知手段としてのセンサが覆われた状態となるので、センサに対しては装飾を施す必要がなく低コストで見栄えの良い入賞部とすることができる。更に、検知手段としてのセンサの前側に前扉枠１４の裏面が対向するように、センサの前側に前カバーが重ならない形状としても良く、この場合には、遊技盤２３を有する遊技機本体１２に対して前扉枠１４を開放操作することにより可変入賞口３０３への入賞を検知するセンサが遊技盤２３の前側に露出されるので、このセンサの点検や交換作業を容易に実施することができる。
【０１６５】
入賞装置３００は、必ずしも遊技板２３ｂの貫通孔２３ｃを通じて動作体３４２を遊技板２３ｂの後側から前側に突出するように構成する必要はなく、遊技板２３ｂの下端に相当する外縁より下側に突出するようにして入賞装置３００を配置する構成としても良く、この場合においても前後に分離した複数のユニットを遊技板２３ｂの前側と後側に別個に取り付けて入賞装置３００を構成することが好ましい。
【０１６６】
入賞装置３００は、必ずしも遊技板２３ｂに対して前側と後側との両方向から取り付ける構成とする必要はなく、前側又は後側の一方側のみから取り付けられる構成としても良い。かかる場合に、後側から取り付けられる入賞装置とすることが、可変入賞口を構成する動作体、動作体を移動可能に支持する支持部材及び動作体を動作させる駆動手段の少なくとも一部を遊技板２３ｂの一部に対して後側に重なるように取り付けることが好ましく、これにより、入賞装置の上側に機能部品を配置し易くすることができる。
【０１６７】
可変入賞口３０３に対応する可変入賞口用通路３３３が、必ずしもアウト口３０４に対応するアウト口用通路３３４より下側に位置するように配置する必要はなく、可変入賞口用通路３３３がアウト口用通路３３４より上側に位置するように配置しても良い。この場合においても、入賞装置３００において可変入賞口３０３を開閉する動作体３４２は、遊技板２３ｂに対して後側から取り付けられる構成とすることが機能部品の配置をし易くすることができるために好ましく、また、動作体３４２において遊技球が当接する板部３４２ｂの上面に沿った上流側に連続する上面通路３３５に相当する上面通路部が設けられることが動作体３４２の開閉動作において遊技球が可変入賞口３０３に効率良く入賞することができて好ましい。
【０１６８】
上記実施形態においては、上面通路３３５の下面が動作体３４２の上面によって形成される構成としたが、必ずしも動作体３４２の上面によって上面通路３３５の下面が形成される構成とする必要はなく、板部３４２ｂのうち上面通路３３５の下側に対応する部分は固定的な壁部とし、上面通路３３５より下流側に相当する部分のみを動作可能に構成しても良い。かかる場合であっても、特別遊技状態において可変入賞口３０３へ効率良く遊技球を入賞させることができる。
【０１６９】
上記実施形態においては、上面通路３３５は、動作体３４２の板部３４２ｂの左右両端部から離間した中央部付近を上流端として左右両側に位置するように設けられていたが、左右方向の一方側のみに上面通路３３５を設けても良い。また、上面通路３３５は、動作体３４２（板部３４２ｂ）の上面における最も高い最頂部において左右方向に遊技球が通過可能な程度の隙間を有する構成であっても良い。この場合、上面通路３３５の最頂部付近において左右方向に遊技球が通過可能な隙間を有する構成であっても、少なくとも一部の遊技球に対して障害部が接触し、遊技球の通過を阻害する構成とすることが好ましい。すなわち、障害部としては、上面通路３３５の上流端に相当する最頂部付近で遊技球の前側又は後側に接触して遊技球の進路を変化させて減速させるものでも良いし、最頂部付近で遊技球の進行方向に対向する位置で遊技球に接触して上面通路３３５の上流端で遊技球の進行方向を１８０度転換させて戻すように構成しても良く、いずれの場合においても可変入賞口３０３へ遊技球を効率良く入賞させることができる。
【０１７０】
上記実施形態においては、障害部３２５ｃは、前カバー３６２により上面通路３３５の天井面側から下方に突出する形状とされたが、他の形状に障害部を形成しても良く、上面通路３３５を形成する他の部材によって形成しても良いし、上面通路３３５を形成する複数の部材により形成しても良い。例えば、ベース部３６１ａと前カバー部３６２ａとの一方又は両側から上面通路３３５側へ突出する形状の障害部を設けても良いし、上面通路３３５の下面を形成する動作体３４２の板部３４２ｂの上面に上方側に突出する障害部を設けても良い。
【０１７１】
本発明を上記実施形態とは異なるタイプのパチンコ機等に実施しても良い。例えば、一度大当たりすると、それを含めて複数回（例えば２回、３回）大当たり状態が発生するまで、大当たり期待値が高められるようなパチンコ機として実施しても良い。また、大当たり図柄が表示された後に、所定の領域に球が入賞することを必要条件として特別遊技状態となるパチンコ機として実施しても良い。また、大当たり等の抽選機能のないいわゆる普通機として採用されても良い。球が所定の入賞口に入ることで特別遊技状態となるパチンコ機として実施しても良い。また、球が循環する封入式のパチンコ機に実施しても良い。さらに、パチンコ機以外にも、アレンジボール型パチンコ、雀球等の各種遊技機として実施するようにしても良い。
【０１７２】
＜上記実施形態から抽出される発明＞
以下、上記した実施形態から抽出される発明群の特徴について、必要に応じて効果等を示しつつ説明する。なお以下においては、理解の容易のため、上記各実施形態において対応する構成を括弧書き等で適宜示すが、この括弧書き等で示した具体的構成に限定されるものではない。また、各特徴に記載した用語の意味や例示等は、同一の文言にて記載した他の特徴に記載した用語の意味や例示として適用しても良い。
【０１７３】
遊技機の一種であるパチンコ機には、遊技領域が前面側に形成される遊技板が設けられ、遊技板には、遊技領域に発射された遊技球が入賞可能な入賞口が複数箇所に設けられ、また、その複数の入賞口のいずれにも入賞しなかった遊技球が流入するアウト口が設けられている。遊技領域へ発射された遊技球は、遊技領域を経由した後に入賞口又はアウト口を経由して遊技板の裏面側に誘導される。遊技板の裏面側には収集経路と排出口が設けられ、遊技板の裏面側に誘導された遊技球は、収集経路によって排出口につながる経路の入口部分へ収集され、排出口からホール側の島設備へと排出される。
【０１７４】
この種のパチンコ機においては、遊技者の目に付く遊技機中央側に位置する図柄の表示装置や装飾装置等の設置領域を大型化する傾向にあり、これにより、自由なデザインを施し易くしたり、構造体の動作や表示内容に遊技者が驚嘆し易くすることができ、他の製造メーカーとは異なる独自の遊技性を提供しやすくすることができる。また、図柄の変動表示を開始させる作動口や開閉動作する可変入賞口といった遊技者に注目される領域や、アウト口は、遊技者から視認し易い位置に配置されることが好ましく、遊技盤の中央において、上から順に、装飾領域を形成するセンター役物及び表示装置、作動口、可変入賞口、アウト口と配置されることがある（例えば、特開２００１−３３４０２２号公報参照）。
【０１７５】
しかしながら、かかる配置順では、遊技球の入賞及び排出に必要な領域を確保しつつ、表示装置や装飾装置の設置領域をも確保することが難しく、遊技領域内に入賞部と排出球通路とを配置する構成について改善の余地がある可能性がある。
【０１７６】
＜特徴Ａ１＞
遊技球が流下する遊技領域を前面側に形成する遊技部材（遊技板２３ｂ）と、該遊技部材の後方側へ向かって前記遊技領域を経由した遊技球が通過する複数の後方通路と、を備えた遊技機（パチンコ機１０）において、
該複数の後方通路には、遊技球が入球した場合に賞球が払い出される入賞部（上下の作動口３０１，３０２、可変入賞口３０３）へ入賞した遊技球が通過する１又は複数の入賞球通路（上下の作動口用通路３３１，３３２、可変入賞口用通路３３３）と、
前記入賞部へ入賞することなく遊技領域外に排出される排出部（アウト口３０４）を入口部分として遊技球が通過する１又は複数の排出球通路（アウト口用通路３３４）とが設けられ、
前記複数の後方通路のうち最も下側に位置する最下端の後方通路は、前記入賞球通路を構成する最下部入賞球通路（可変入賞口用通路３３３）とされ、
該最下部入賞球通路より高い位置に、前記１又は複数の排出球通路が配置されていることを特徴とする遊技機。
【０１７７】
特徴Ａ１記載の遊技機によれば、遊技領域内に入賞部と排出球通路とを好適に配置することができる。すなわち、最下部入賞球通路が遊技領域を通過する遊技球の排出される通路の中で最も下側に位置し、この最下部入賞球通路を遊技球が通過する場合には遊技者に利益がもたらされる構成とされている。このため、排出球通路へ流入する遊技球は、最下部入賞球通路より高い位置で遊技部材の後方側へ誘導されるので、ハズレ球を迅速に遊技者から視認し得ない位置に移送することができる。
【０１７８】
また、最下部入賞球通路への遊技球の入球を遊技者が視認可能に構成した場合には、遊技者に対して遊技球の流下を、一番下側の後方通路に達するところまで長期間にわたって視認させることができると共に、大きさに制限のある遊技領域において遊技球の挙動する区間を長く設定し易くすることができる。
【０１７９】
更に、排出球通路を、最下部入賞球通路に対応する入賞部の入口に対して左右方向の少なくとも一方にずらして配置することにより、最下部入賞球通路に対応する入賞部を低い位置に設定し、その上側に大きなスペースを確保し易くすることができる。これにより、遊技者が注目し易い表示装置や装飾装置の設置領域を確保し易くすることができる。
【０１８０】
＜特徴Ａ２＞
前記最下部入賞球通路の入口より上流側には、当該最下部入賞球通路へ遊技球が流入可能な第１位置（開放状態に対応する位置）と、該第１位置より前記最下部入賞球通路へ遊技球が流入し難い又は遊技球が流入し得ない第２位置（閉鎖状態に対応する位置）との間を変位する動作部材（動作体３４２）が設けられ、
該動作部材は、前記第１位置において前記遊技部材の前面より前方側に突出し、遊技領域を流下する遊技球に当接可能であって当接した遊技球を前記排出球通路側へ誘導する遊技球当接部（板部３４２ｂ）を有し、
該遊技球当接部は、上下方向側より左右方向側に長く形成され、
前記動作部材は、前記第１位置に対して前記遊技球当接部が後側に位置する前記第２位置に移動する動作をすることにより前記第１位置と前記第２位置との間を変位することを特徴とする特徴Ａ１記載の遊技機。
【０１８１】
特徴Ａ２記載の遊技機によれば、動作部材における遊技球当接部の移動範囲を上下方向において短く形成することができるので、最下部入賞球通路の上側に他の部品の設置スペースを広く設定することができ、遊技球の流下領域や表示部、装飾部といった機能部品等を配置し易くすることができる。
【０１８２】
＜特徴Ａ３＞
前記動作部材と、該動作部材を動作させる駆動手段（ソレノイド３８２）と、前記動作部材を移動可能に支持する支持部材（後側ベース部材３８１）とを有する後側構成体（後側ユニット３５２）が前記遊技部材に対して後側より取り付けられることを特徴とする特徴Ａ２記載の遊技機。
【０１８３】
特徴Ａ３記載の遊技機によれば、遊技部材の後側より取り付けられる後側構成体の一部としての動作部材を遊技領域内に突出するように配置し、動作部材の動作に必要な駆動手段や支持部材は、遊技部材の後側に重なるように取り付けることができる。このため、遊技部材の前面側における動作部材の設置スペースを上下に短く設定し易く、所定の入賞球通路に対応する入賞部の周辺に他の部品の設置スペースを広く設定することができる。よって、遊技球の流下領域や表示部、装飾部といった機能部品等を配置し易くすることができる。
【０１８４】
＜特徴Ａ４＞
前記遊技球当接部の上面は、左右方向における少なくとも一方側に向かって下降傾斜する形状とされ、
前記排出球通路の少なくとも１つが、遊技機正面視において、その下降傾斜方向の先端側にて開口形成されていることを特徴とする特徴Ａ２又はＡ３記載の遊技機。
【０１８５】
特徴Ａ４記載の遊技機によれば、遊技球当接部に達した遊技球を排出球通路に効率良く誘導して、遊技領域にて入賞しなかった遊技球を遊技領域から速やかに排出することができる。
【０１８６】
＜特徴Ａ５＞
前記最下部入賞球通路に対応する最下入賞部（可変入賞口３０３）と、当該最下入賞部へ到達したものの当該最下入賞部へ流入しなかった遊技球が流入する排出球通路とが、前記遊技部材の前面側に取り付けられる通路形成体（前側ユニット３５１）により一体的に形成されていることを特徴とする特徴Ａ１〜Ａ４のいずれかに記載の遊技機。
【０１８７】
特徴Ａ５記載の遊技機によれば、最下入賞部と、最下入賞部へ到達し且つ入賞しなかった遊技球が流入する排出球通路とが遊技部材の前面側に取り付けられる共通の通路形成体により一体的に形成されているので、最下入賞部と排出球通路と遊技部材の前面側に取り付けられる他の部材との相対位置を精度良く配置することができる。よって、最下部入賞球通路に対応する入賞部を低い位置に設定して当該入賞部の上側の領域を広く確保しつつ、排出球通路周辺において他の部材との連結部分等に遊技球が滞留してしまうといった不具合を回避し易くすることができる。
【０１８８】
＜特徴Ａ６＞
前記遊技部材の前側に配置され、遊技者が視認可能に前記遊技領域を覆う前面側が平坦な視認部（視認部３０ａ）と、該視認部に対して前側に突出し、該視認部を囲う外枠部（下側の電飾部２４）とを有し、前記遊技部材の前面を開放可能に前記遊技部材に対して相対移動可能な前面側部材（前扉枠１４）を備え、
前記最下部入賞球通路は、前記前面側部材の外枠部の後側に少なくとも一部が重なる高さ位置に配置され、
前記１又は複数の排出球通路は、遊技機正面側から前記視認部を通じて少なくとも一部が視認可能な高さ位置に配置されていることを特徴とする特徴Ａ１〜Ａ５のいずれかに記載の遊技機。
【０１８９】
特徴Ａ６記載の遊技機によれば、最下部入賞球通路は視認部からずれた位置に配置されるので、視認部の後側に重なるスペースを広く確保し易くして、遊技球の流下領域や機能部品等を配置し易くすることができる。また、前面側部材の視認部下側における外枠部の上端部分を比較的高く設定し易くなり、前面側部材の視認部下側に設けられる機能部品としての遊技球の貯留部、発射操作部、押しボタン等の選択操作部、装飾部等を配置し易くすることができる。
【０１９０】
＜特徴Ｂ１＞
遊技球が流下する遊技領域を前面側に形成する遊技部材（遊技板２３ｂ）と、前記遊技領域を経由した遊技球を遊技領域外へ誘導する複数の誘導通路と、を備えた遊技機（パチンコ機１０）において、
該複数の誘導通路には、遊技球が入球した場合に賞球が払い出される入賞部（上下の作動口３０１，３０２、可変入賞口３０３）へ入賞した遊技球が通過する１又は複数の入賞球通路（上下の作動口用通路３３１，３３２、可変入賞口用通路３３３）と、
前記入賞部へ入賞することなく遊技領域外に排出される遊技球が通過する１又は複数の排出球通路（アウト口用通路３３４）とが設けられ、
前記複数の誘導通路のうち前記入賞球通路を構成する所定の入賞球通路（可変入賞口用通路３３３）の入口より上流側には、当該所定の入賞球通路へ遊技球が流入可能な第１位置（開放状態に対応する位置）と、該第１位置に対して後側に位置し、前記第１位置より前記所定の入賞球通路へ遊技球が流入し難い又は遊技球が流入し得ない第２位置（閉鎖状態に対応する位置）との間を変位する動作部材（動作体３４２）が設けられ、
該動作部材は、前記第１位置において前記遊技部材の前面より前方側に突出し、遊技領域を流下する遊技球に当接可能であって当接した遊技球を前記排出球通路側へ誘導する遊技球当接部（板部３４２ｂ）を有し、
前記動作部材と、該動作部材を動作させる駆動手段（ソレノイド３８２）と、前記動作部材を移動可能に支持する支持部材（後側ベース部材３８１）とを有する後側構成体（後側ユニット３５２）が前記遊技部材に対して後側より取り付けられ、
前記遊技部材の前側には、前記動作部材が前記第２位置に配置された場合に前記遊技部材の前面より前側にて前記遊技球当接部の下側を支持する前側支持部（前側支持部３２４ｂ）が設けられていることを特徴とする遊技機。
【０１９１】
特徴Ｂ１記載の遊技機によれば、遊技部材の後側より取り付けられる後側構成体の一部としての動作部材を遊技領域内に突出するように配置し、動作部材の動作に必要な駆動手段や支持部材は、遊技部材の後側に重なるように取り付けることができる。このため、遊技部材の前面側における動作部材の設置スペースを上下に短く設定し易く、所定の入賞球通路に対応する入賞部の周辺に他の部品の設置スペースを広く設定することができる。よって、遊技球の流下領域や表示部、装飾部といった機能部品等を配置し易くすることができる。
【０１９２】
また、動作部材が第２位置に配置された場合には、前側支持部によって遊技球当接部の下側が支持される。よって、遊技球の接触によって遊技球当接部に大きな負荷が加わった場合であっても、動作部材を破損し難く構成することができる。特に、所定の入賞球通路がいずれの排出球通路よりも下側に設置される最下部入賞球通路である場合には、所定の入賞球通路付近に多数の遊技球が集まって球詰まりが生じる可能性があり、この場合に多数の遊技球が連なった状態で動作部材の上側に滞留する可能性があるものの、動作部材の下側が支えられる構造とすることによって遊技球の滞留による動作部材等の破損を生じ難くすることができる。
【０１９３】
＜特徴Ｂ２＞
前記所定の入賞球通路に対応する入賞部（可変入賞口３０３）と、前記排出球通路の入口部（アウト口３０４）とを左右に区画する区画部（区画壁部３２４）を備え、
前記動作部材は、前記遊技球当接部を形成する部位であって左右方向に連続する上面部（板部３４２ｂ）と、当該上面部の左右方向における端部より下側に連続する側面部（動作体側壁部３４２ａ）とを有し、
前記区画部は、前記側面部に対して前記入賞部の外側に位置して前記側面部に対向する側面対向部（側面対向部３２４ａ）と、該側面対向部より下側にて前記入賞部の内側に連続し、前記側面部の下側に突出して形成された前記前側支持部とを有していることを特徴とする特徴Ｂ１記載の遊技機。
【０１９４】
特徴Ｂ２記載の遊技機によれば、動作部材の側面部の外側と下側のそれぞれに区画部の側面対向部と前側支持部とが位置し、動作部材の側面部の外側と下側への移動が制限される。このため、遊技球当接部の下側が支えられる構造であって、且つ、動作部材の左右方向における中央側部分が下側に変形することを阻止することができるので、遊技球の滞留が生じても既定の位置に動作部材の各部位を適切に配置することができる。
【０１９５】
＜特徴Ｂ３＞
前記遊技球当接部の上側であって前記区画部の上側に相当する位置からずれた位置に設けられ、前記遊技球当接部の一部に対して前記遊技領域を流下する遊技球が接触し得なくする障害部（障害部３２５ｃ）を備えていることを特徴とする特徴Ｂ１又はＢ２に記載の遊技機。
【０１９６】
特徴Ｂ３記載の遊技機によれば、遊技球当接部において、区画部から下側が支持された位置から離れた箇所に遊技球が当接する機会を少なくすることができるので、動作部材へ加えられる曲げ力を低く抑えることができ、動作部材の破損を防止することができる。
【０１９７】
＜特徴Ｃ群＞
遊技機の一種であるパチンコ機は、遊技球が流下する遊技領域が前面側に形成される遊技盤を備えている。遊技盤には、遊技領域を流下する遊技球を必要に応じて入賞口に入賞させることができる可変入賞装置（入賞装置）が設けられ、この入賞装置は、遊技球が入球可能な開口である入賞口（入賞部）と、この入賞口を閉鎖した閉鎖位置と開放した開放位置との間を変位する動作部材と、入賞口に入球した遊技球を検出するセンサとを備えている。通常の遊技状態では、遊技球が入賞できない閉鎖位置に動作部材が配置され、遊技者にとって有利な遊技状態（例えば大当たり状態）になると、遊技球が入賞しやすい開放位置と通常の閉鎖位置との間を繰り返して変位するようになっている（例えば、特開２００１−２３９０１５号参照）。
【０１９８】
しかしながら、入賞口が繰り返して開放される場合には、一時的に動作部材が閉鎖位置に配置される状態が発生し、この状況において入賞口に到達した遊技球は、入賞口の前側を通過することとなって入賞口へ入賞できなくなってしまう。遊技者にとって有利な遊技状態において入賞口の開閉が繰り返されるほど、入賞口の設置位置に到達しても入賞とはならない遊技球数が増加することとなり、遊技者に、無駄な遊技球を投入させてしまう量が増大する可能性がある。
【０１９９】
＜特徴Ｃ１＞
遊技球が流下する遊技領域を前面側に形成する遊技部材（遊技板２３ｂ）と、前記遊技領域を経由した遊技球を遊技領域外へ誘導する複数の誘導通路と、を備えた遊技機において、
該複数の誘導通路には、遊技球が入球した場合に賞球が払い出される入賞部（上下の作動口３０１，３０２、可変入賞口３０３）へ入賞した遊技球が通過する１又は複数の入賞球通路（上下の作動口用通路３３１，３３２、可変入賞口用通路３３３）と、
前記入賞部へ入賞することなく遊技領域外に排出される遊技球が通過する１又は複数の排出球通路（アウト口用通路３３４）とが設けられ、
前記複数の誘導通路のうち前記入賞球通路を構成する所定の入賞球通路の入口より上流側には、当該所定の入賞球通路へ遊技球が流入可能な第１位置（開放状態に対応する位置）と、該第１位置に対して後側に位置し、前記第１位置より前記所定の入賞球通路へ遊技球が流入し難い又は遊技球が流入し得ない第２位置（閉鎖状態に対応する位置）との間を変位する動作部材（動作体３４２）が設けられ、
該動作部材は、前記第１位置において前記遊技部材の前面より前方側に突出し、遊技領域を流下する遊技球に当接可能であって当接した遊技球を前記排出球通路側へ誘導する遊技球当接部（板部３４２ｂ）を有し、
前記遊技領域のうち前記遊技球当接部に対して上流側には、遊技球の通路を形成する１又は複数の球誘導部材（釘８７、誘導壁部３２３、上側壁部３２５）が設けられ、
該球誘導部材は、前記遊技球当接部に対して、当該遊技球当接部の上面が上り傾斜する方向側に遊技球を誘導可能な遊技球の通路を形成することを特徴とする遊技機。
【０２００】
特徴Ｃ１記載の遊技機によれば、入賞部へ効率良く遊技球を入賞させることが可能な遊技機を提供することができる。すなわち、球誘導部材によって遊技球当接部へ誘導された遊技球の少なくとも一部は、遊技球当接部に当接した後、一旦、遊技球当接部の上流側へ向かって移動し、その後に折り返して、排出球通路へと誘導され得る。このため、第１位置に配置された動作部材の遊技球当接部の上面に遊技球が滞留し易く、また、複数の遊技球が載置された状態となり易くなるので、その後に第２位置に動作部材が移動した状態において遊技球が即座に入賞部へ入賞し易くなる。よって、排出球通路側へ誘導される遊技球数を少なくして入賞部への入賞が可能な遊技状態（特別遊技状態）において入賞部へ効率良く遊技球を入賞させることができる。
【０２０１】
なお、遊技球当接部の上面が上り傾斜する方向側に遊技球を誘導可能な遊技球の通路とは、誘導される遊技球の少なくとも一部が遊技球当接部の上面が上り傾斜する方向側に誘導される構成であれば良く、例えば、遊技球当接部の上面が上り傾斜する方向側を向く遊技球の通路を球誘導部材が形成することとしても良い。
【０２０２】
＜特徴Ｃ２＞
前記遊技球当接部より高い位置には、前記遊技球当接部の端部側に開口し、前記遊技球当接部の上面に沿った上流側に連続する上面通路部（上面通路３３５）が設けられ、
該上面通路部には、前記球誘導部材によって形成される遊技球の通路を経由した遊技球が入り込み可能に構成されていることを特徴とする特徴Ｃ１記載の遊技機。
【０２０３】
特徴Ｃ２記載の遊技機によれば、遊技球当接部の端部側に開口した上面通路部に遊技球が入り込み可能とされているので、上面通路部内に一旦入り込んだ遊技球に対して上面通路部の開口側から遊技球が接触すると、上面通路部の奥側へ遊技球を押し込むことになる。このため、上面通路部内に遊技球を滞留し易くすることができ、第２位置に動作部材が移動した場合に遊技球を即座に入賞部へ入賞し易くすることができる。
【０２０４】
なお、特徴Ｃ２における上面通路部の高さ幅は、遊技球が積み上げられることのない高さ幅に設定されることが好ましく、具体的には、遊技球の直径よりも僅かに大きな高さ幅に設定されることが好ましい。遊技球の入賞部への入賞し易くさを確保しつつ、他の部品の上下方向における設置スペースを広く設定し易くすることができる。
【０２０５】
＜特徴Ｃ３＞
前記上面通路部は、左右方向における一方側であって遊技球当接部の上面が下り傾斜する方向側にのみ開口し、前記上面通路部の上流側部分が閉塞されていることを特徴とする特徴Ｃ１又はＣ２記載の遊技機。
【０２０６】
特徴Ｃ３記載の遊技機によれば、上面通路部の上流側部分が閉塞されているので、上面通路部の開口側からの遊技球の接触により、上面通路部内に遊技球を押し込んで滞留させることができる。よって、上面通路部内に遊技球を滞留し易くすることができ、第２位置に動作部材が移動した場合に遊技球を即座に入賞部へ入賞し易くすることができる。
【０２０７】
なお、「上面通路部の上流側部分が閉塞されている」とは、遊技球が通過し得ない程度に閉塞されて状態を意味し、完全に空間が仕切られている場合の他、部分的に空間が開放されているものの、その開放部分を遊技球が通過不能とされている場合を含む。
【０２０８】
＜特徴Ｄ１＞
遊技球が流下する遊技領域を前面側に形成する遊技部材（遊技板２３ｂ）と、前記遊技部材の前面を開放可能に前記遊技部材に対して相対移動可能な前面側部材（前扉枠１４）とを備え、該前面側部材が、前記遊技部材の前側に配置され、遊技者が視認可能に前記遊技領域を覆う前面側が平坦な視認部（視認部３０ａ）と、該視認部に対して前側に突出し、該視認部を囲う外枠部（電飾部２４）とを有する遊技機において、
遊技球が入球した場合に賞球が払い出される所定の入賞部（可変入賞口３０３）と、
該所定の入賞部への遊技球の入球し易さを変化させる動作部材（動作体３４２）と、
前記所定の入賞部へ入賞することなく遊技領域外に排出される遊技球が通過する１又は複数の排出球通路（アウト口用通路３３４）とを備え、
前記動作部材は、前記遊技部材の前面より前方側に突出し、遊技領域を流下する遊技球に当接可能であって当接した遊技球を前記排出球通路側へ誘導する遊技球当接部（板部３４２ｂ）を有し、
該遊技球当接部は、前記視認部の下部に相当する高さ位置に設けられると共に、当該視認部の外形に沿った方向側に連続し、
前記所定の入賞部は、その入口部分より下流側が前記前面側部材の前記外枠部の後側に重なる位置に配置されていることを特徴とする遊技機。
【０２０９】
＜特徴Ｄ２＞
前記所定の入賞部への遊技球の入賞を検知する入賞検知部を備え、
該入賞検知部は、前記遊技部材の前面より前側であって前記前面側部材の外枠部の後側に設けられていることを特徴とする特徴Ｄ１記載の遊技機。
【０２１０】
特徴Ｄ２記載の遊技機によれば、所定の入賞部への遊技球の流入を早い段階で検知することができるので、予め設定した入賞数に対応した遊技球が所定の入賞部へ入賞したタイミングで迅速に入賞し易さを切り替えることができる。また、前面側部材の外枠部により入賞検知部が覆われた状態となるので、入賞検知部に対しては装飾を施す必要がなく低コストで見栄えの良い入賞部とすることができる。更に、遊技部材に対して前面側部材を移動することにより入賞検知部が遊技部材の前側に露出されるので、入賞検知部の点検や交換作業を容易に実施することができる。
【０２１１】
なお、特徴Ａ１〜Ａ６、特徴Ｂ１〜Ｂ３、Ｃ１〜Ｃ３及び特徴Ｄ１，Ｄ２に記載の少なくとも１つの特徴を他のいずれか又は複数の特徴に組み合わせて適用しても良い。以下には、上記した各特徴を適用し得る遊技機の基本構成を示す。
【０２１２】
パチンコ遊技機：遊技者が操作する発射操作手段と、その発射操作手段の操作に基づいて遊技球を発射する遊技球発射手段と、その発射された遊技球を所定の遊技領域に導く通路部と、遊技領域内に配置された各遊技部品とを備え、それら各遊技部品のうち所定の通過部を遊技球が通過した場合に遊技者に特典を付与する遊技機。
【産業上の利用可能性】
【０２１３】
以上のように、この発明は、パチンコ機等の遊技機に適している。
【符号の説明】
【０２１４】
１０…パチンコ機、１４…前扉枠、２３ｂ…遊技板、２４…電飾部、３０ａ…視認部、８７…釘、３０１，３０２…上下の作動口、３０３…可変入賞口、３０４…アウト口、３２３…誘導壁部、３２４…区画壁部、３２５…上側壁部、３２４ａ…側面対向部、３２４ｂ…前側支持部、３２５ｃ…障害部、３３１，３３２…上下の作動口用通路、３３３…可変入賞口用通路、３３４…アウト口用通路、３３５…上面通路、３４２…動作体、３４２ａ…動作体側壁部、３４２ｂ…板部、３５１…前側ユニット、３５２…後側ユニット、３８１…後側ベース部材、３８２…ソレノイド
【図１】
2020121130.tif 000003
【図２】
2020121130.tif 000004
【図３】
2020121130.tif 000005
【図４】
2020121130.tif 000006
【図５】
2020121130.tif 000007
【図６】
2020121130.tif 000008
【図７】
2020121130.tif 000009
【図８】
2020121130.tif 000010
【図９】
2020121130.tif 000011
【図１０】
2020121130.tif 000012
【図１１】
2020121130.tif 000013
【図１２】
2020121130.tif 000014
【図１３】
2020121130.tif 000015
【図１４】
2020121130.tif 000016
【図１５】
2020121130.tif 000017
【図１６】
2020121130.tif 000018
【図１７】
2020121130.tif 000019
【図１８】
2020121130.tif 000020
【図１９】
2020121130.tif 000021